(57)【要約】  圧迫ガーメントシステム及び方法は、身体の頭部に着用されるように構成された頭部ガーメント部分を含んでよい。圧迫ガーメント及び方法は、身体の首に着用されるように構成された首ガーメント部分をさらに含んでよい。コントローラは、リンパ液を少なくとも頭部から首に向かって移動させるために、１つまたは複数の頭部圧力付与領域の各々及び／または１つまたは複数の首圧力付与領域の各々によって加えられる圧力を制御するように構成されてよい。【選択図】図１Ａ
2018534098.tif 000002
【特許請求の範囲】
【請求項１】
身体の頭部に着用されるように構成された頭部ガーメント部分であって、１つまたは複数の頭部圧力付与領域を備え、さらに前記１つまたは複数の頭部圧力付与領域の各々が、前記頭部の一部に圧力を加えるように制御可能である頭部ガーメント部分と、
リンパ液を少なくとも前記身体の前記頭部から首に向かって移動させるために、前記１つまたは複数の頭部圧力付与領域の各々によって加えられる圧力を制御するように構成されたコントローラとを備える圧迫ガーメントシステム。
【請求項２】
前記頭部ガーメント部分が、前記身体の前記頭部の右頬に近接して位置決め可能な右頬ガーメント部分と、前記身体の前記頭部の左頬に近接して位置決め可能な左頬ガーメント部分とを備え、前記右頬ガーメント部分及び前記左頬ガーメント部分が、１つまたは複数の頬圧力付与領域を備え、前記１つまたは複数の頬圧力付与領域が、左頬及び右頬の一部に圧力を加えるように制御可能である、請求項１に記載の圧迫ガーメントシステム。
【請求項３】
前記頭部ガーメント部分が、前記身体の前記頭部の顎の下に近接して位置決め可能な顎下ガーメント部分を備え、前記顎下ガーメント部分が、前記顎の下の一部に圧力を加えるように構成可能である、請求項１〜２のいずれか一項に記載の圧迫ガーメントシステム。
【請求項４】
前記顎下ガーメント部分が、前記顎の下の一部に圧力を加えるように制御可能な１つまたは複数の顎下圧力付与領域を備える、請求項３に記載の圧迫ガーメントシステム。
【請求項５】
前記顎下ガーメント部分が、前記身体の頭部に前記頭部ガーメント部分を着用する際に使用するように構成された１つまたは複数の顎下接続要素を備え、前記１つまたは複数の顎下接続要素が、前記右頬ガーメント部分と、前記左頬ガーメント部分を接続するように構成される、請求項３〜４のいずれか一項に記載の圧迫ガーメントシステム。
【請求項６】
前記頭部ガーメント部分が、前記身体の後頭部に近接して位置決め可能な後頭部ガーメント部分を備え、前記後頭部ガーメント部分が、前記後頭部の一部に圧力を加えるように制御可能な１つまたは複数の後頭部圧力付与領域を備える、請求項１〜５のいずれか一項に記載の圧迫ガーメントシステム。
【請求項７】
前記１つまたは複数の顎下圧力付与領域、前記１つまたは複数の頬圧力付与領域及び前記１つまたは複数の後頭部圧力付与領域が、前記顎の下の前記一部から前記頬の前記一部に向けて、前記頬の前記一部から前記後頭部の前記一部に向けて、及び前記後頭部の前記一部から前記身体の前記首の前記一部に向けてのうちの少なくとも１つによってリンパ液を移動させるように構成される、請求項６に記載の圧迫ガーメントシステム。
【請求項８】
前記頭部ガーメント部分が、前記身体の前記頭部の鼻梁に近接して位置決め可能な１つまたは複数の鼻接続要素を備え、前記１つまたは複数の鼻接続要素が、前記右頬ガーメント部分と、前記左頬ガーメント部分を接続するように構成される、請求項２〜７のいずれか一項に記載の圧迫ガーメントシステム。
【請求項９】
前記頭部ガーメント部分が、前記身体の前記頭部の額に近接して位置決め可能な額ガーメント部分を備え、前記額ガーメント部分が、前記身体の前記頭部に前記頭部ガーメント部分を着用する際に使用するように構成された１つまたは複数の額接続要素を備える、請求項１〜８のいずれか一項に記載の圧迫ガーメントシステム。
【請求項１０】
前記額ガーメント部分が、前記額の一部に圧力を加えるように構成可能である、請求項９に記載の圧迫ガーメントシステム。
【請求項１１】
前記１つまたは複数の頭部圧力付与領域の各々が、流体を収容するように構成された１つまたは複数の小室を備える、請求項１〜１０のいずれか一項に記載の圧迫ガーメントシステム。
【請求項１２】
前記１つまたは複数の頭部圧力付与領域の各々が、前記頭部の前記一部に圧力を加えるように構成された１つまたは複数の頭部作動可能要素を備える、請求項１〜１１のいずれか一項に記載の圧迫ガーメントシステム。
【請求項１３】
前記１つまたは複数の頭部圧力付与領域の少なくとも一部が弓形形状を画定する、請求項１〜１２のいずれか一項に記載の圧迫ガーメントシステム。
【請求項１４】
前記身体の胴体に近接して位置決め可能な胴体ガーメント部分をさらに備え、前記胴体ガーメント部分が、前記胴体の一部に圧力を加えるように制御可能な１つまたは複数の胴体圧力付与領域を備え、前記コントローラが、リンパ液を少なくとも前記頭部から前記首に、前記首から前記胴体に向けて移動させるために、前記１つまたは複数の頭部圧力付与領域の各々及び前記１つまたは複数の胴体圧力付与領域の各々によって加えられる圧力を制御するように構成される、請求項１〜１３のいずれか一項に記載の圧迫ガーメントシステム。
【請求項１５】
前記頭部ガーメント部分と、前記胴体ガーメント部分が合わせて結合される、請求項１４に記載の圧迫ガーメントシステム。
【請求項１６】
前記胴体ガーメント部分が、前記胴体の右の脇の下の領域に近接して位置決め可能な右の腋窩ガーメント部分と、前記胴体の左の脇の下の領域に近接して位置決め可能な左の腋窩ガーメント部分とを備え、前記右の腋窩ガーメント部分及び前記左の腋窩ガーメント部分が、１つまたは複数の腋窩圧力付与領域を備え、前記１つまたは複数の腋窩圧力付与領域が、前記右の脇の下の領域及び前記左の脇の下の領域の一部に圧力を加えるように制御可能である、請求項１４〜１５のいずれか一項に記載の圧迫ガーメントシステム。
【請求項１７】
前記胴体ガーメント部分を前記身体に近接するように締め付けるように構成された締め付け具をさらに備え、前記締め付け具が、
前記胴体ガーメント部分の第１の部分と第２の部分の間に位置決めされる少なくとも１本のレースと、
前記少なくとも１本のレースに結合され、前記少なくとも１本のレースに対して張力を加えることで、前記胴体ガーメント部分の前記第１の部分を前記胴体ガーメント部分の前記第２の部分に対して移動させるように構成された締め付けデバイスとを備える、請求項１４〜１６のいずれか一項に記載の圧迫ガーメントシステム。
【請求項１８】
身体の頭部に着用されるように構成された頭部ガーメント部分であって、１つまたは複数の頭部圧力付与領域を備え、さらに前記１つまたは複数の頭部圧力付与領域の各々が、前記頭部の一部に圧力を加えるように制御可能である頭部ガーメント部分と、
前記身体の首に着用されるように構成された首ガーメント部分であって、１つまたは複数の首圧力付与領域を備え、さらに前記１つまたは複数の首圧力付与領域の各々が、前記首の一部に圧力を加えるように制御可能である首ガーメント部分と、
リンパ液を少なくとも前記頭部から前記首に向かって移動させるために、前記１つまたは複数の頭部圧力付与領域の各々及び前記１つまたは複数の首圧力付与領域の各々によって加えられる圧力を制御するように構成されたコントローラとを備える圧迫ガーメントシステム。
【請求項１９】
前記１つまたは複数の首圧力付与領域が、前記１つまたは複数の頭部圧力付与領域が前記頭部の前記一部に圧力を加えるように制御された後、前記首の前記一部に圧力を加えるように制御可能である、請求項１８に記載の圧迫ガーメントシステム。
【請求項２０】
リンパ液を少なくとも前記頭部から前記首に向かって、かつそこから下方に移動させるために、１つまたは複数の首圧力付与領域が、前記首の前記一部に圧力を加えるように制御可能であり、前記１つまたは複数の頭部圧力付与領域が、前記頭部の前記一部に圧力を加えるように制御可能である、請求項１８〜１９のいずれか一項に記載の圧迫ガーメントシステム。
【請求項２１】
前記首ガーメント部分が、前記身体の前記首の右側部分に近接して位置決め可能な第１の首ガーメント部分と、前記身体の前記首の左側部分に近接して位置決め可能な第２の首ガーメント部分とを備え、前記第１の首ガーメント部分の１つまたは複数の首圧力付与領域が、前記第２の首ガーメント部分の１つまたは複数の首圧力付与領域とは別個である、請求項１８〜２０のいずれか一項に記載の圧迫ガーメントシステム。
【請求項２２】
前記コントローラが、前記第１の首ガーメント部分よって加えられる圧力と、前記第２の首ガーメント部分によって加えられる圧力を交互に制御するように構成される、請求項２１に記載の圧迫ガーメントシステム。
【請求項２３】
前記コントローラが、前記第１の首ガーメント部分によって加えられる圧力と、前記第２の首ガーメント部分によって加えられる圧力を同時に制御するように構成される、請求項２１に記載の圧迫ガーメントシステム。
【請求項２４】
前記第１の首ガーメント部分が、前記身体の前記首の右側と右背面側に近接して位置決め可能であり、前記第２の首ガーメント部分が、前記身体の前記首の左側と左背面側に近接して位置決め可能である、請求項２１〜２３のいずれか一項に記載の圧迫ガーメントシステム。
【請求項２５】
前記首ガーメント部分が、気管に隣接する前記身体の前記首の前面部分に近接して開放領域を画定する、請求項１８〜２４のいずれか一項に記載の圧迫ガーメントシステム。
【請求項２６】
前記頭部ガーメント部分が、前記身体の前記頭部の右頬に近接して位置決め可能な右頬ガーメント部分と、前記身体の前記頭部の左頬に近接して位置決め可能な左頬ガーメント部分と備え、前記右頬ガーメント部分及び前記左頬ガーメント部分が、１つまたは複数の頬圧力付与領域を備え、前記１つまたは複数の頬圧力付与領域が、前記右頬及び前記左頬の一部に圧力を加えるように制御可能である、請求項１８〜２５のいずれか一項に記載の圧迫ガーメントシステム。
【請求項２７】
前記頭部ガーメント部分が、前記身体の前記頭部の顎の下に近接して位置決め可能な顎下ガーメント部分を備え、前記顎下ガーメント部分が、前記顎の下の一部に圧力を加えるように構成可能である、請求項１８〜２６のいずれか一項に記載の圧迫ガーメントシステム。
【請求項２８】
前記顎下ガーメント部分が、前記顎の下の一部に圧力を加えるように制御可能な１つまたは複数の顎下圧力付与領域を備える、請求項２７に記載の圧迫ガーメントシステム。
【請求項２９】
前記顎下ガーメント部分が、前記身体の前記頭部に前記頭部ガーメント部分を着用する際に使用するように構成された１つまたは複数の顎下接続要素を備え、前記１つまたは複数の顎下接続要素が、前記右頬ガーメント部分と、前記左頬ガーメント部分を接続するように構成される、請求項２７〜２８のいずれか一項に記載の圧迫ガーメントシステム。
【請求項３０】
前記頭部ガーメント部分が、前記身体の後頭部に近接して位置決め可能な後頭部ガーメント部分を備え、前記後頭部ガーメント部分が、前記後頭部の一部に圧力を加えるように制御可能な１つまたは複数の後頭部圧力付与領域を備える、請求項１８〜２９のいずれか一項に記載の圧迫ガーメントシステム。
【請求項３１】
前記１つまたは複数の顎下圧力付与領域、前記１つまたは複数の頬圧力付与領域、前記１つまたは複数の後頭部圧力付与領域及び前記１つまたは複数の首圧力付与領域が、前記顎の下の前記一部から前記頬の前記一部に向けて、前記頬の前記一部から前記後頭部の前記一部に向けて、及び前記後頭部の前記一部から前記首の前記一部に向けてのうちの少なくとも１つによってリンパ液を移動させるように構成される、請求項３０に記載の圧迫ガーメントシステム。
【請求項３２】
前記頭部ガーメント部分が、前記身体の前記頭部の鼻梁に近接して位置決め可能な１つまたは複数の鼻接続要素を備え、前記１つまたは複数の鼻接続要素が、前記右頬ガーメント部分と、前記左頬ガーメント部分を接続するように構成される、請求項２６〜３１のいずれか一項に記載の圧迫ガーメントシステム。
【請求項３３】
前記頭部ガーメント部分が、前記身体の前記頭部の額に近接して位置決め可能な額ガーメント部分を備え、前記額ガーメント部分が、前記身体の前記頭部に前記頭部ガーメント部分を着用する際に使用するように構成された１つまたは複数の額接続要素を備える、請求項１８〜３２のいずれか一項に記載の圧迫ガーメントシステム。
【請求項３４】
前記額ガーメント部分が、前記額の一部に圧力を加えるように構成可能である、請求項３３に記載の圧迫ガーメントシステム。
【請求項３５】
前記１つまたは複数の頭部圧力付与領域の各々及び前記１つまたは複数の首圧力付与領域の各々が、流体を収容するように構成された１つまたは複数の小室を備える、請求項１８〜３４のいずれか一項に記載の圧迫ガーメントシステム。
【請求項３６】
前記１つまたは複数の頭部圧力付与領域の各々が、前記頭部の前記一部に圧力を加えるように構成された１つまたは複数の頭部作動可能要素を備え、前記１つまたは複数の首圧力付与領域の各々が、前記首の前記一部に圧力を加えるように構成された１つまたは複数の首作動可能要素を備える、請求項１８〜３４のいずれか一項に記載の圧迫ガーメントシステム。
【請求項３７】
前記１つまたは複数の頭部圧力付与領域の少なくとも一部が弓形形状を画定する、及び／または前記１つまたは複数の首圧力付与領域の少なくとも一部が弓形形状を画定する、請求項１８〜３６のいずれか一項に記載の圧迫ガーメントシステム。
【請求項３８】
前記頭部ガーメント部分と、前記首ガーメント部分が合わせて結合される、請求項１８〜３７のいずれか一項に記載の圧迫ガーメントシステム。
【請求項３９】
前記身体の胴体に近接して位置決め可能な胴体ガーメント部分をさらに備え、前記胴体ガーメント部分が、前記胴体の一部に圧力を加えるように制御可能な１つまたは複数の胴体圧力付与領域を備え、前記コントローラが、リンパ液を少なくとも前記頭部から前記首に、前記首から前記胴体に向けて移動させるために、前記１つまたは複数の頭部圧力付与領域の各々、前記１つまたは複数の首圧力付与領域各々及び前記１つまたは複数の胴体圧力付与領域の各々によって加えられる圧力を制御するように構成される、請求項１８〜３８のいずれか一項に記載の圧迫ガーメントシステム。
【請求項４０】
前記頭部ガーメント部分と、前記胴体ガーメント部分が合わせて結合される、及び／または前記首ガーメント部分と、前記胴体ガーメント部分が合わせて結合される、請求項３９に記載の圧迫ガーメントシステム。
【請求項４１】
前記胴体ガーメント部分が、前記胴体の右の脇の下の領域に近接して位置決め可能な右の腋窩ガーメント部分と、前記胴体の左の脇の下の領域に近接して位置決め可能な左の腋窩ガーメント部分とを備え、前記右の腋窩ガーメント部分及び前記左の腋窩ガーメン部分トが、１つまたは複数の腋窩圧力付与領域を備え、前記１つまたは複数の腋窩圧力付与領域が、前記右の脇の下の領域及び前記左の脇の下の領域の一部に圧力を加えるように制御可能である、請求項３９〜４０のいずれか一項に記載の圧迫ガーメントシステム。
【請求項４２】
前記胴体ガーメント部分を前記身体に近接するように締め付けるように構成された締め付け具をさらに備え、前記締め付け具が、
前記胴体ガーメント部分の第１の部分と第２の部分の間に位置決めされる少なくとも１本のレースと、
前記少なくとも１本のレースに結合され、前記少なくとも１本のレースに対して張力を加えることで、前記胴体ガーメント部分の前記第１の部分を前記胴体ガーメント部分の前記第２の部分に対して移動させるように構成された締め付けデバイスとを備える、請求項３９〜４１のいずれか一項に記載の圧迫ガーメントシステム。
【請求項４３】
頭部ガーメント部分と、首ガーメント部分とを備えるガーメントを身体の少なくとも一部に着用することであって、前記頭部ガーメント部分が１つまたは複数の頭部圧力付与領域を備え、前記首ガーメント部分が１つまたは複数の首圧力付与領域を備え、前記１つまたは複数の頭部圧力付与領域の各々が、前記身体の頭部の一部に圧力を加えるように制御可能であり、前記１つまたは複数の首圧力付与領域の各々が、前記身体の首の一部に圧力を加えるように制御可能である、前記ガーメントを着用することと、
リンパ液を少なくとも前記首に向かって移動させるために、前記１つまたは複数の頭部圧力付与領域の各々によって前記身体の前記頭部に加えられる圧力を制御することと、
リンパ液を少なくとも前記首から下方に移動させるために、前記１つまたは複数の首圧力付与領域の各々によって前記身体の前記首に加えられる圧力を制御することとを含む圧迫治療の方法。
【請求項４４】
前記１つまたは複数の頭部圧力付与領域の各々によって前記身体の前記頭部に圧力を加えることと、その後
前記１つまたは複数の首圧力付与領域の各々によって前記身体の前記首に圧力を加えることと、
前記身体の前記頭部に圧力を加えることと、前記身体の前記首に圧力を加えることを繰り返すこととをさらに含む、請求項４３に記載の圧迫治療の方法。
【請求項４５】
前記首ガーメント部分が、前記身体の前記首の右側部分に近接して位置決め可能な第１の首ガーメント部分と、前記身体の前記首の左側部分に近接して位置決め可能な第２の首ガーメント部分とを備え、前記第１の首ガーメント部分の１つまたは複数の首圧力付与領域が、前記第２の首ガーメント部分の１つまたは複数の首圧力付与領域とは別個であり、
前記第１の首ガーメント部分の前記１つまたは複数の首圧力付与領域の各々によって加えられる圧力と、前記第２の首ガーメント部分の前記１つまたは複数の首圧力付与領域の各々によって加えられる圧力を交互に制御することをさらに含む、請求項４３〜４４のいずれかに記載の圧迫治療の方法。
【請求項４６】
前記ガーメントがさらに、前記身体の胴体に近接して位置決め可能な胴体ガーメント部分をさらに備え、前記胴体ガーメント部分が、前記胴体の一部に圧力を加えるように制御可能な１つまたは複数の胴体圧力付与領域を備え、
前記１つまたは複数の胴体圧力付与領域の各々によって前記身体の前記胴体に加えられる圧力を制御することと、
前記身体の前記頭部に圧力を加えること、前記身体の前記首に圧力を加えること、及び前記身体の前記胴体に圧力を加えることを繰り返すことをさらに含む、請求項４３〜４５のいずれかに記載の圧迫治療の方法。
【請求項４７】
締め付け具を利用して前記胴体ガーメント部分を前記身体に締め付けることをさらに含み、前記締め付け具が、
前記胴体ガーメント部分の第１の部分と第２の部分の間に位置決めされる少なくとも１本のレースと、
前記少なくとも１本のレースに結合され、前記少なくとも１本のレースに対して張力を加えることで、前記胴体ガーメント部分の前記第１の部分を前記胴体ガーメント部分の前記第２の部分に対して移動させるように構成された締め付けデバイスとを備える、請求項４６に記載の圧迫治療の方法。
【発明の詳細な説明】
【技術分野】
【０００１】
関連出願の相互参照
本出願は、「Ｈｅａｄ  ａｎｄ  Ｎｅｃｋ  Ｃｏｍｐｒｅｓｓｉｏｎ  Ｔｈｅｒａｐｙ  Ｓｙｓｔｅｍ」というタイトルで２０１５年１０月５日に提出された米国仮出願第６２／２３７，１９２号、「Ｓｔａｔｉｃ  ａｎｄ  Ｄｙｎａｍｉｃ  Ｃｏｍｐｒｅｓｓｉｏｎ  Ｔｈｅｒａｐｙ  Ｓｙｓｔｅｍ」というタイトルで２０１５年１０月５日に提出された米国仮出願第  ６２／２３７，２００号、及び「Ｈｅａｄ  ａｎｄ  Ｎｅｃｋ  Ｃｏｍｐｒｅｓｓｉｏｎ  Ｇａｒｍｅｎｔ」というタイトルで２０１５年１０月５日に提出された米国仮出願第６２／２３７，２０９号の利益を主張しており、これらの全てはその全体において本明細書に組み込まれる。
【０００２】
本開示は一般に、圧迫ガーメント及び圧迫ガーメントシステムの利用、ならびに身体の一部（例えば身体の頭部及び首の一部など）に圧力を加えるための方法に関する。
【背景技術】
【０００３】
例えばリンパ浮腫、浮腫、傷の治療などのために様々なタイプの圧迫ガーメントを利用することができる。例えばガーメントは、患者に治療を提供するために膨らますことができる小室（または他の作動可能要素）を含む場合があり、ヒトまたは動物の任意の身体の一部の周りに位置決めされてよい。具体的には、ガーメントは、リンパ液の蓄積が原因でむくみを呈し、かつガーメントによって提供される圧迫治療から利益を得ることになる身体の一部の周りに位置決めされてよい。例えばそのような小室は、リンパ液を特定の領域から別の領域に移動させることによって患者に治療を提供するために様々な順序での１つまたは複数の異なる圧力に対して膨張可能であってよい。換言すると、そのような圧迫ガーメントは、病気に冒された末端部分において身体に圧力を加える際に使用するために、個人の身体の少なくとも一部を囲むように配置されてよい。このような圧迫ガーメントは、患者自身でまたは他の人の助けを借りて、着たり（例えば身につける）脱いだり（例えば取り去る）することができる。
【０００４】
本明細書に記載される一例の圧迫ガーメントシステムは、身体の頭部に着用されるように構成された頭部ガーメント部分と、身体の首に着用されるように構成された首ガーメント部分と、コントローラとを含んでよい。頭部ガーメント部分は、１つまたは複数の頭部圧力付与領域を含んでよく、１つまたは複数の頭部圧力付与領域の各々は、頭部の一部に圧力を加えるように制御可能であってよい。首ガーメント部分は、１つまたは複数の首圧力付与領域を含んでよく、１つまたは複数の首圧力付与領域の各々は、首の一部に圧力を加えるように制御可能であってよい。コントローラは、リンパ液を少なくとも頭部から首に向かって移動させるために、１つまたは複数の頭部圧力付与領域の各々及び１つまたは複数の首圧力付与領域の各々によって加えられる圧力を制御するように構成されてよい。
【０００５】
１つまたは複数の実施形態において、１つまたは複数の首圧力付与領域は、１つまたは複数の頭部圧力付与領域が頭部の一部に圧力を加えるように制御された後、首の一部に圧力を加えるように制御可能であってよい。１つまたは複数の実施形態において、リンパ液を少なくとも頭部から首に向かって、かつそこから下方に移動させるために、１つまたは複数の首圧力付与領域は、首の一部に圧力を加えるように制御可能であってよく、１つまたは複数の頭部圧力付与領域は、頭部の一部の圧力を加えるように制御可能であってよい。１つまたは複数の実施形態において、首ガーメント部分は、気管に隣接する身体の首の前面部分に近接して開放領域を画定する場合がある。
【０００６】
１つまたは複数の実施形態において、首ガーメント部分は、身体の首の右側部分に近接して位置決め可能な第１の首ガーメント部分と、身体の首の左側部分に近接して位置決め可能な第２の首ガーメント部分とを含んでよい。第１の首ガーメント部分は、第２の首ガーメント部分の圧力付与領域とは別個の圧力付与領域を含んでよい。いくつかの実施形態において、コントローラは、第１の首ガーメント部分によって加えられる圧力と、第２の首ガーメント部分によって加えられる圧力を交互に制御するように構成されてよい（例えば圧力は、第１の首ガーメント部分と、第２の首ガーメント部分に交互に加えられる）。他の実施形態において、コントローラは、第１の首ガーメント部分によって加えられる圧力と、第２の首ガーメント部分によって加えられる圧力を同時に制御するように構成されてよい（例えば圧力は、第１の首ガーメント部分と、第２の首ガーメント部分に同時に加えられる）。１つまたは複数の実施形態において、第１の首ガーメント部分は、身体の首の右側と右背面側に近接して位置決め可能であってよく、第２の首ガーメント部分は、身体の首の左側と左背面側に近接して位置決め可能であってよい。
【０００７】
１つまたは複数の実施形態において、頭部ガーメント部分は、身体の頭部の右頬に近接して位置決め可能な右頬ガーメント部分と、身体の頭部の左頬に近接して位置決め可能な左頬ガーメント部分とを含んでよい。右頬ガーメント部分及び左頬ガーメント部分は、１つまたは複数の頬圧力付与領域を含んでよく、１つまたは複数の頬圧力付与領域は、頬の一部に圧力を加えるように制御可能であってよい。１つまたは複数の実施形態において、頭部ガーメント部分は、身体の頭部の顎の下に近接して位置決め可能な顎下ガーメント部分を含んでよい。顎下ガーメント部分は、顎の下の一部に圧力を加えるように構成可能であってよい。１つまたは複数の実施形態において、顎下ガーメント部分は、顎の下の一部に圧力を加えるように制御可能な１つまたは複数の顎下圧力付与領域を含んでよい。１つまたは複数の実施形態において、顎下ガーメント部分は、身体の頭部に頭部ガーメント部分を着用する際に使用するように構成された１つまたは複数の顎下接続要素を含んでよい。１つまたは複数の顎下接続要素は、右頬ガーメント部分と、左頬ガーメント部分を接続するように構成されてよい。
【０００８】
１つまたは複数の実施形態において、頭部ガーメント部分は、身体の後頭部に近接して位置決め可能な後頭部ガーメント部分を含んでよい。後頭部ガーメント部分は、後頭部の一部に圧力を加えるように制御可能な１つまたは複数の後頭部圧力付与領域を含んでよい。１つまたは複数の実施形態において、１つまたは複数の顎下圧力付与領域、１つまたは複数の頬圧力付与領域、１つまたは複数の後頭部圧力付与領域及び１つまたは複数の首圧力付与領域は、リンパ液を、例えば顎の下の一部から頬の一部に向けて、頬の一部から後頭部の一部に向けて、及び／または後頭部の一部から首の一部に向けて移動させるように構成されてよい。
【０００９】
１つまたは複数の実施形態において、頭部ガーメント部分は、身体の頭部の鼻梁に近接して位置決め可能な１つまたは複数の鼻接続要素を含んでよい。１つまたは複数の鼻接続要素は、右頬ガーメント部分と、左頬ガーメント部分を接続するように構成されてよい。１つまたは複数の実施形態において、頭部ガーメント部分は、身体の頭部の額に近接して位置決め可能な額ガーメント部分を含んでよい。額ガーメント部分は、身体の頭部に頭部ガーメント部分を着用する際に使用するように構成された１つまたは複数の額接続要素を含んでよい。１つまたは複数の実施形態において、額ガーメント部分は、額の一部に圧力を加えるように構成可能であってよい。
【００１０】
１つまたは複数の実施形態において、１つまたは複数の頭部圧力付与領域及び首圧力付与領域の各々は、流体（例えば空気）を収容するように構成された１つまたは複数の小室を含んでよい。１つまたは複数の実施形態において、１つまたは複数の頭部圧力付与領域の各々は、頭部の一部に圧力を加えるように構成された１つまたは複数の頭部作動可能要素を含んでよく、１つまたは複数の首圧力付与領域の各々は、首の一部に圧力を加えるように構成された１つまたは複数の首作動可能要素を含んでよい。１つまたは複数の実施形態において、１つまたは複数の頭部圧力付与領域の少なくとも一部は、弓形の形状を画定する場合がある、及び／または１つまたは複数の首圧力付与領域の少なくとも一部は、弓形の形状を画定する場合がある。１つまたは複数の実施形態において、頭部ガーメント部分と、首ガーメント部分は合わせて結合される。
【００１１】
１つまたは複数の実施形態において、圧迫ガーメントシステムはまた、身体の胴体に近接して位置決め可能な胴体ガーメント部分を含んでよい。胴体ガーメント部分は、胴体の一部に圧力を加えるように制御可能な１つまたは複数の胴体圧力付与領域を含んでよい。コントローラは、リンパ液を少なくとも頭部から首、首から胴体に移動させるために、１つまたは複数の頭部圧力付与領域の各々、１つまたは複数の首圧力付与領域の各々及び１つまたは複数の胴体圧力付与領域の各々によって加えられる圧力を制御するように構成されてよい。１つまたは複数の実施形態において、頭部ガーメント部分と、胴体ガーメント部分は、合わせて結合されてよい、及び／または首ガーメント部分と、胴体ガーメント部分は合わせて結合されてよい。１つまたは複数の実施形態において、胴体ガーメント部分は、胴体の右の脇の下の領域に近接して位置決め可能な右の腋窩ガーメント部分と、胴体の左の脇の下の領域に近接して位置決め可能な左の腋窩ガーメント部分とを含んでよい。右の腋窩ガーメント部分及び左の腋窩ガーメント部分は、１つまたは複数の腋窩圧力付与領域を含んでよく、１つまたは複数の腋窩圧力付与領域は、右の脇の下の領域及び左の脇の下の領域の一部に圧力を加えるように制御可能であってよい。
【００１２】
本明細書に記載される圧迫の一例の方法は、身体の少なくとも一部にガーメントを着用することを含んでよい。ガーメントは、頭部ガーメント部分と、首ガーメント部分とを含んでよい。頭部ガーメント部分は、１つまたは複数の頭部圧力付与領域を含んでよく、首ガーメントは１つまたは複数の首圧力付与領域を含んでよい。１つまたは複数の頭部圧力付与領域の各々は、身体の頭部の一部に圧力を加えるように制御可能であってよく、１つまたは複数の首圧力付与領域の各々は、身体の首の一部に圧力を加えるように制御可能であってよい。方法はまた、リンパ液を少なくとも首に向かって移動させるために、１つまたは複数の頭部圧力付与領域の各々によって身体の頭部に加えられる圧力を制御することを含んでよい。方法はさらに、リンパ液を少なくとも首に向かって下方に移動させるために、１つまたは複数の首圧力付与領域の各々によって身体の首に加えられる圧力を制御することを含んでよい。
【００１３】
１つまたは複数の実施形態において、方法はまた、１つまたは複数の頭部圧力付与領域の各々によって身体の頭部に圧力を加え、その後１つまたは複数の首圧力付与領域の各々によって身体の首に圧力を加えることを含んでよい（例えばそのような身体の頭部及び身体の首への圧力の付与は繰り返すことができる）。１つまたは複数の実施形態において、首ガーメント部分は、身体の首の右側部分に近接して位置決め可能な第１の首ガーメント部分と、身体の首の左側部分に近接して位置決め可能な第２の首ガーメント部分とを含んでよい。第１の首ガーメント部分は、第２の首ガーメント部分の圧力付与領域とは別個の圧力付与領域を含んでよい。方法は、第１の首ガーメント部分の１つまたは複数の首圧力付与領域の各々によって加えられる圧力と、第２の首ガーメント部分の１つまたは複数の首圧力付与領域によって加えられる圧力を交互に制御することをさらに含んでよい（例えば圧力は、第１の首ガーメント部分と第２の首ガーメント部分によって交互に加えられる）。
【００１４】
１つまたは複数の実施形態において、ガーメントは、身体の胴体に近接して位置決め可能な胴体ガーメント部分を含んでよい。胴体ガーメントは、胴体の一部に圧力を加えるように制御可能な１つまたは複数の胴体圧力付与領域を含んでよい。方法はまた、１つまたは複数の胴体圧力付与領域の各々によって身体の胴体に加えられる圧力を制御することを含んでよい（例えば身体の頭部への、身体の首への、及び身体の胴体への圧力の付与は繰り返すことができる）。
【００１５】
本明細書に記載される一例の圧迫ガーメントシステムは、身体の頭部に着用されるように構成された頭部ガーメント部分と、コントローラとを含んでよい。頭部ガーメント部分は、１つまたは複数の頭部圧力付与領域を含んでよく、１つまたは複数の頭部圧力付与領域の各々は、頭部の一部に圧力を加えるように制御可能であってよい。コントローラは、リンパ液を少なくとも身体の頭部から首に向かって移動させるために１つまたは複数の頭部圧力付与領域の各々によって加えられる圧力を制御するように構成されてよい。
【００１６】
１つまたは複数の実施形態において、頭部ガーメント部分は、身体の頭部の右頬に近接して位置決め可能な右頬ガーメント部分と、身体の頭部の左頬に近接して位置決め可能な左頬ガーメント部分とを含んでよい。右頬ガーメント部分及び左頬ガーメント部分は、１つまたは複数の頬圧力付与領域を含んでよく、１つまたは複数の頬圧力付与領域は、頬の一部に圧力を加えるように制御可能であってよい。１つまたは複数の実施形態において、頭部ガーメント部分は、身体の頭部の顎の下に近接して位置決め可能な顎下ガーメント部分を含んでよい。顎下ガーメント部分は、顎の下の一部に圧力を加えるように構成可能であってよい（例えばそのような圧力を加えるために流体を収容するための１つまたは複数の小室を含んでよい）。１つまたは複数の実施形態において、顎下ガーメント部分は、顎の下の一部に圧力を加えるように制御可能な１つまたは複数の顎下圧力付与領域を含んでよい。１つまたは複数の実施形態において、顎下ガーメント部分は、身体の頭部に頭部ガーメント部分を着用する際に使用するように構成された１つまたは複数の顎下接続要素を含んでよい。１つまたは複数の顎下接続要素は、右頬ガーメント部分と、左頬ガーメント部分を接続するように構成されてよい。
【００１７】
１つまたは複数の実施形態において、頭部ガーメント部分は、身体の後頭部に近接して位置決め可能な後頭部ガーメント部分を備える。後頭部ガーメント部分は、後頭部の一部に圧力を加えるように制御可能な１つまたは複数の後頭部圧力付与領域を含んでよい。１つまたは複数の実施形態において、１つまたは複数の下顎圧力付与領域、１つまたは複数の頬圧力付与領域及び１つまたは複数の後頭部圧力付与領域は、リンパ液を、例えば顎の下の一部から頬の一部に向かって、頬の一部から後頭部の一部に向かって、及び／または後頭部の一部から身体の首に向かって移動させるように構成されてよい。
【００１８】
１つまたは複数の実施形態において、頭部ガーメント部分は、身体の頭部の鼻梁に近接して位置決め可能な１つまたは複数の鼻接続要素を含んでよい。１つまたは複数の鼻接続要素は、右頬ガーメント部分と、左頬ガーメント部分を接続するように構成されてよい。１つまたは複数の実施形態において、頭部ガーメント部分は、身体の頭部の額に近接して位置決め可能な額ガーメント部分を含んでよい。額ガーメント部分は、身体の頭部に頭部ガーメント部分を着用する際に使用するように構成された１つまたは複数の額接続要素を含んでよい。１つまたは複数の実施形態において、額ガーメント部分は、額の一部に圧力を加えるように構成可能であってよい。
【００１９】
１つまたは複数の実施形態において、１つまたは複数の頭部圧力付与領域の各々は、流体を収容するように構成された１つまたは複数の小室を含んでよい。１つまたは複数の実施形態において、１つまたは複数の頭部圧力付与領域の各々は、頭部の一部に圧力を加えるように構成された１つまたは複数の頭部作動可能要素を含んでよい。１つまたは複数の実施形態において、１つまたは複数の頭部圧力付与領域の少なくとも一部は、弓形を画定する場合がある。
【００２０】
１つまたは複数の実施形態において、圧迫ガーメントシステムはまた、身体の胴体に近接して位置決め可能な胴体ガーメント部分を含んでよい。胴体ガーメント部分は、胴体の一部に圧力を加えるように制御可能な１つまたは複数の胴体圧力付与領域を含んでよい。コントローラは、リンパ液を少なくとも頭部から首、首から胴体に移動させるために、１つまたは複数の頭部圧力付与領域の各々及び１つまたは複数の胴体圧力付与領域の各々によって加えられる圧力を制御するように構成されてよい。１つまたは複数の実施形態において、頭部ガーメント部分と、胴体ガーメント部分は、合わせて結合されてよい。１つまたは複数の実施形態において、胴体ガーメント部分は、胴体の右の脇の下の領域に近接して位置決め可能な右の腋窩ガーメント部分と、胴体の左の脇の下の領域に近接して位置決め可能な左の腋窩ガーメント部分を含んでよい。右の腋窩ガーメント部分及び左の腋窩ガーメント部分は、１つまたは複数の腋窩圧力付与領域を含んでよく、１つまたは複数の腋窩圧力付与領域は、右の脇の下の領域及び左の脇の下領域の一部に圧力を加えるように制御可能であってよい。
【００２１】
上記の概説は、本開示の各々の実施形態または全ての実装形態を説明することは意図されていない。より完全な理解は、添付の図面と併せて利用される以下の詳細な記載及びクレームを参照することによって明白になり、正当に評価されるであろう。
【図面の簡単な説明】
【００２２】
【図１Ａ】身体に配置された一例の圧迫システムの前面の斜視図である。
【図１Ｂ】身体に配置された一例の圧迫システムの背面の斜視図である。
【図２Ａ】一例の圧迫システムを利用してリンパ液が頭部及び首を通って特定の方向に流れるのを例示する人の身体の頭部及び首の一例の側面図である。
【図２Ｂ】特定のリンパ節と、一例の圧迫システムを利用してリンパ液が頭部及び首を通って特定の方向に流れるのを例示する人の身体の頭部及び首の一例の斜視図である。
【図２Ｃ】特定のリンパ節と、一例の圧迫システムを利用してリンパ液が頭部及び首を通って特定の方向に流れるのを例示する人の身体の頭部及び首の一例の背面図である。
【図３】１つまたは複数の圧力付与領域を含む、図１Ａ〜図１Ｂに示されるような圧迫ガーメントシステムの一例の頭部ガーメント部分の平面図である。
【図４】１つまたは複数の圧力付与領域を含む、図１Ａ〜図１Ｂに示されるような圧迫ガーメントシステムの一例の首ガーメント部分の平面図である。
【図５】１つまたは複数の圧力付与領域を含む、図１Ａ〜図１Ｂに示されるような圧迫ガーメントシステムの一例の胴体ガーメント部分の平面図である。
【図６】図４の一例の首ガーメント部分に結合された図３の一例の頭部ガーメント部分の平面図である。
【図７】図４の一例の首ガーメント部分に結合された図３の一例の頭部ガーメント部分と、図４の一例の首ガーメント部分に結合可能な図５の一例の胴体ガーメント部分の平面図である。
【図８】図８Ａは、図１Ａ〜図１Ｂ、図３〜図７及び図９〜図１０に示されるような一例のガーメント部分のうちの１つと共に使用され得る一例の圧迫ガーメントの１つまたは複数の小室（例えば膨張可能な小室）の断面図である。    図８Ｂは、図１Ａ〜図１Ｂ、図３〜図７及び図９〜図１０に示されるような一例のガーメント部分のうちの１つと共に使用され得る一例の圧迫ガーメントの、作動可能要素（例えば膨張可能な小室を含まない）を含む１つまたは複数の小室の断面図である。
【図９】身体に配置された別の一例の圧迫システムの前方斜視図である。
【図１０】身体に配置された図９の一例の圧迫システムの後方斜視図である。
【図１１】図１Ａ〜図１Ｂ及び図９〜図１０の一例の圧迫システムのうちの１つを利用して実装され得る圧迫治療の一例の方法のブロック図である。
【図１２】図１Ａ〜図１Ｂ及び図９〜図１０の一例の圧迫システムのうちの１つを利用して実装され得る圧迫治療の別の一例の方法のブロック図である。
【図１３Ａ】図１Ａ〜図１Ｂ及び図９〜図１０の一例の圧迫システムのうちの１つを利用して実装され得る圧迫治療のさらに別の一例の方法のブロック図である。
【図１３Ｂ】図１３Ａの圧迫治療の一例の方法によって例示される過程の１つのブロック図である。
【図１３Ｃ】図１３Ａの圧迫治療の一例の方法によって例示される過程の別の１つのブロック図である。
【図１４】ガーメントを着用するのを助ける締め付け具（例えばレーシングシステム）を含む胴体ガーメントの一部の一例の図である。
【発明を実施するための形態】
【００２３】
例示の実施形態の以下の詳細な記載において、添付の図面の図が参照されており、これらの図はこの文書の一部を形成しており、また例示の目的で、実施され得る特定の実施形態がそこに示されている。その他の実施形態が利用される場合もあり、本明細書に提示される開示の範囲から逸脱することなく（例えばなおもその範囲内にある）、構造上の変更が行われる場合があることを理解されたい。
【００２４】
一例の装置、システム、構造及び方法が図１〜図１４を参照して説明される。一実施形態からの要素は、他の実施形態の要素と組み合わせて使用される場合があること、ならびに本明細書に記載される特徴の組み合わせを利用するそのような装置及びシステムの可能な実施形態は、図面に示される及び／または本明細書に記載される特定の実施形態に限定されないことは当業者に明らかであろう。さらに、本明細書に記載される実施形態は、必ずしも縮尺通りではない多くの要素を含む場合があることが認識されるであろう。さらに、本明細書の種々の要素のサイズ及び形状は修正される場合があるが、それでもなおそれらは本開示の範囲内にあり、但し要素の特定の１つまたは複数の形状及び／またはサイズあるいは種類が他のものに対して有利である場合があることを認識されたい。
【００２５】
本開示は一般に、身体（例えばヒト、動物など）の少なくとも一部に着用されるように構成され、身体のその部分に圧力を加えるように構成されたガーメント部分を含む圧迫ガーメント、身体の少なくとも一部に加えられる圧力を制御するための器具を含む圧迫ガーメントシステム、ならびにそのような圧迫ガーメント及び圧迫ガーメントシステムを利用する方法（例えばガーメントを着用する方法、身体に加えられる圧力を制御する方法、静圧及び／または動圧を加える方法など）に関する。
【００２６】
圧迫ガーメントシステム（「Ｌｙｍｐｈｅｄｅｍａ  Ｔｒｅａｔｍｅｎｔ  Ｓｙｓｔｅｍ」というタイトルの米国特許第６，１７９，７９６号、「Ｌｙｍｐｈｅｄｅｍａ  Ｔｒｅａｔｍｅｎｔ  Ｓｙｓｔｅｍ」というタイトルの米国特許第６，６４５，１６５号、「Ｌｙｍｐｈｅｄｅｍａ  Ｔｒｅａｔｍｅｎｔ  Ｓｙｓｔｅｍ」というタイトルの米国特許第６，８６０，８６２号及び「Ｌｙｍｐｈｅｄｅｍａ  Ｔｒｅａｔｍｅｎｔ  Ｓｙｓｔｅｍ」というタイトルの米国特許第６，９６６，８８４号に記載される圧迫ガーメントなどであり、これらは参照により本明細書に組み込まれており、いくぶん修正される場合があり、また本明細書に記載される特徴によって修正される場合がある）は、リンパ浮腫を持つ人々のための治療、動物が必要とする治療、傷の治療などを含め様々な理由のために使用されてよい。本明細書で使用される際、身体という用語は、ヒトのみではなく、本明細書に記載される概念及び特徴から利益を得る可能性のある任意の他の動物種も指している。このような圧迫ガーメントは、個人の身体の少なくとも一部を囲むように配置され、病気に冒された末端部分において（例えば頭部、首、腕、胴体、肩など）身体に圧力を加えるのに使用されてよい。本明細書に記載される一部の実施形態は、身体の少なくとも一部（例えばヒトの身体、腕、胴体、肩、頭部、首など）に位置決めされるように（例えばその周りに巻き付けられる、隣合わせに配置される、近接して位置決めされるなど）構成されたガーメントを有する圧迫システムを含んでよい。圧迫ガーメントは、個人自身で、または他の人の助けを借りて着たり（例えば身につける）脱いだり（例えば取り去る）ことができる。ガーメントはまた、圧迫治療を行うために流体（例えば空気）を収容するように構成された、ガーメントの長さに沿って分散される１つまたは複数の小室（例えば仕切り）を含んでよい。
【００２７】
圧迫ガーメントシステムによって提供される圧迫治療は、リンパ浮腫を治療するのに役立つ場合がある。リンパ浮腫は、遺伝によるもの、癌の治療によって生じる、寄生虫感染によって生じる可能性のある局所的な体液貯留及び組織の膨張の特定の症状である。例えば頭部及び首のリンパ浮腫は、頭部、首、下顎骨下領域、頬、鼻、まぶたなどの周囲で膨張を引き起こす場合がある。頭部及び首を覆う本明細書に記載される圧迫ガーメントは、病気に冒された個人によって使用されることで治療上の利点を提供することができる。具体的には、圧迫ガーメントは、リンパ液をより有利な場所に向けて（例えば排液領域に向けて、病気に冒された領域から離れるようになど）移動させるために、圧力を加えることによってリンパ節またはリンパ管を上手く扱うように構成されてよい。例えば本明細書に記載されるシステムを用いる圧迫治療が頭部及び首の領域の周りで行われることで、例えばリンパ液を胴体に向けて移動させることによって頭部及び首の領域におけるリンパ浮腫を治療するのに役立つ場合がある。
【００２８】
本明細書に記載される圧迫ガーメントは、身体の病気に冒された領域に圧力を加えることで圧迫治療を適用するように構成されてよい。圧迫ガーメントは、各々が制御可能な圧力付与領域を含む種々の部分を含んでよい。各々制御可能な圧力付与領域は、身体の特定の部分に圧力を加える（例えば治療における特定の時間に）ように構成されてよい。制御可能な圧力付与領域は互いと組み合わせて作用することで、リンパ液を所望される方向に（例えば頭部から首に向かって、首から胴体に向かってなど）移動させる、身体に対して一連の圧力を加えることによって治療を提供するのに役立つ場合もある。リンパ液を移動させる一連の圧力を身体に対してそのように付与することは（例えば圧力は、圧迫治療中の異なる時間に頭部及び首の１つまたは複数の部分に加えられる）、身体に対して動的な圧力を加えることを指す場合がある。
【００２９】
圧迫ガーメントの制御可能な圧力付与領域はまた、身体に静圧を加える場合もある。例えば圧迫ガーメントは、ガーメントの一部が、身体に位置決めされる際、治療の時間にわたって一定の圧力（例えば治療時間の全体にわたる静圧）を加える場合がある、あるいは治療の時間の中で経時的に変化するように制御され得る圧力（例えば動的な圧力）を加える場合もある。１つまたは複数の実施形態において、動圧は、圧迫ガーメント内の１つまたは複数の小室を介して身体のその部分に加えられてよい。１つまたは複数の小室は、流体を収容するように構成されてよい。あるいは、または１つまたは複数の収容小室と組み合わせて、そのような圧力は、身体に圧力を加えるように構成された圧迫ガーメント内の１つまたは複数の作動可能要素（例えば圧迫を提供するのに適した電気制御される物質）を利用して加えられる場合もある。
【００３０】
身体（例えば図２Ａ〜図２Ｃに示されるようなヒトの身体１０）の少なくとも一部を囲むように位置決めされるように構成されたガーメント１０１（例えば圧迫ガーメント）を含む一例の圧迫ガーメントシステム１００が、図１Ａ〜図１Ｂに示されている。ガーメント１０１は、多様な異なる方法で身体に対して（例えば図２Ａ〜図２Ｃに示されるように頭部１４、首１１、身体の前面部分１０、身体の背面部分１０、額１５、顎下１８、左頬１６と右頬１７、胴体２０など）位置決めされてよい。例えば図１Ａ〜図１Ｂに示されるように、ガーメント１０１は、身体の頭部、首及び胴体を囲むように位置決めされる。１つまたは複数の実施形態において、ガーメント１０１は、腕、ウエスト、脚または身体の任意の他の部分を覆う場合もある。
【００３１】
図１Ａ〜図１Ｂに示されるように、ガーメント１０１は、身体の頭部、首及び胴体に位置決めされる。他の実施形態においてガーメント１０１は、身体の頭部及び首に位置決めされた部分のみを含む場合もある。さらに他の実施形態では、ガーメント１０１は、身体の頭部に位置決めされた部分のみを含む場合もある。ガーメント１０１は、頭部に近接して位置決めされる頭部ガーメント部分１２０と、首に近接して位置決めされる首ガーメント部分１１０とを含んでよい。
【００３２】
１つまたは複数の実施形態において、頭部ガーメント部分１２０と、首ガーメント部分１１０は、互いに結合されてよい。例えば頭部ガーメント部分１２０と、首ガーメント部分１１０は、身体の背面において、身体の前面において、頭部ガーメント部分１２０と、首ガーメント部分１１０が交差する部分に沿ってなどで互いに結合されてよい。さらに１つまたは複数の実施形態において、頭部ガーメント部分１２０と、首ガーメント部分１１０は、頭部ガーメント部分１２０と首ガーメント部分１１０が交差する部分全体（例えばこの場合そのような部分は互いの隣にある）に沿って、またはその一部にのみに沿って（例えばガーメントがユーザの身体に合うように曲がり適合するために結合領域に開口部を残して）互いに対して結合される場合もある。
【００３３】
ガーメント１０１はまた、身体の胴体に近接して位置決めされるように構成された胴体ガーメント部分１４０を含んでよい。１つまたは複数の実施形態において、胴体ガーメント部分１４０は、首ガーメント部分１１０に結合可能であってよい（例えば胴体ガーメント部分１４０は、頭部ガーメントまたは頭部及び首ガーメントとは別個であってよい、例えば面ファスナー式の留め具などを利用して、頭部ガーメントまたは頭部及び首ガーメントに取り外し可能に結合可能である場合もある）。例えば胴体ガーメント部分１４０と、首ガーメント部分１１０は、身体の背面において、身体の前面において、及び胴体ガーメント部分１４０と首ガーメント部分１１０が交差する部分に沿ってなどで互いに結合されてよい。さらに１つまたは複数の実施形態において、胴体ガーメント部分１４０と、首ガーメント部分１１０は、胴体ガーメント部分１４０と首ガーメント部分１１０が交差する部分全体（例えばこの場合そのような部分は互いの隣にある）に沿って、またはその一部にのみに沿って（例えばガーメントがユーザの身体に合うように曲がり適合するために結合領域に開口部を残して）互いに対して結合される場合もある。
【００３４】
図１Ａ〜図１Ｂに示されるように、ガーメント１０１はまた、ガーメント１０１が身体に位置決めされる際、首の前面部分に近接して、かつ気管と隣合わせに首ガーメント部分１１０と、胴体ガーメント部分１４０の間に開放領域１１５を含んでよい。開放領域１１５は、ガーメント１０１を着用する個人の気道に近づくことを可能にすることができる。
【００３５】
ガーメント１０１は、ガーメント１０１の領域に配置された圧力付与領域（例えば図３〜図７に示されるように）を含んでよい。圧力付与領域の各々は、身体の一部に圧力を加えるように制御可能または構成可能であってよい。例えば頭部ガーメント部分１２０は、頭部の１つまたは複数の部分（例えば額、頬、顎の下、後頭部に）に圧力を加えるように制御可能または構成可能である頭部圧力付与領域を含んでよく、首ガーメント部分１１０は、首の１つまたは複数の部分（例えば背面の首の領域、側面の首の領域など）に圧力を加えるように制御可能または構成可能である首圧力付与領域を含んでよく、胴体ガーメント部分１４０は、胴体の１つまたは複数の部分（例えば各脇の下胴体の領域、前面の胴体、背面の胴体など）に圧力を加えるように制御可能または構成可能である胴体圧力付与領域を含んでよい。図１Ａ〜図１Ｂに示されるように、ガーメント１０１は、圧力付与領域を覆う外側材料を含んでよい。
【００３６】
頭部ガーメント部分１２０は、身体の頭部に着用されるように構成されてよい。換言すると、頭部ガーメント部分１２０は、身体の頭部に位置決めされ、そこに固定されてよい（例えば鼻を横切る留め具、額を横切る留め具、顎の下の留め具、頭部の頂部を覆う留め具などを利用して固定される）。例えばそのような取り付け具は、特定のガーメントを異なるサイズ及び形状の身体の部分と共に使用するために調節することを可能にすることができる。１つまたは複数の実施形態において、頭部ガーメント部分１２０は、後頭部から前頭部へと身体の頭部の両側を囲むように位置決めされるように構成されるように記載されてよい。
【００３７】
頭部ガーメント部分１２０は、後頭部ガーメント部分１２８と、右側の頭部ガーメント部分１３４と、左側の頭部ガーメント部分１３６とを含んでよい。後頭部ガーメント部分１２８は、身体の後頭部に近接して位置決め可能であってよい。右側の頭部ガーメント部分１３４は、後頭部ガーメント部分１２８から延び、後頭部から前頭部へと頭の右側に位置決め可能であってよい（例えばその周りに巻き付けられる）。左側の頭部ガーメント部分１３６は、後頭部ガーメント部分１２８から延び、後頭部から前頭部へと頭の左側に位置決め可能であってよい（例えばその周りに巻き付けられる）。後頭部ガーメント部分１２８、右側の頭部ガーメント部分１３４及び左側の頭部ガーメント部分１３６（またはそのような部分の各々）は、後頭部、頭の右側及び頭の左側に圧力を加えるように構成可能または制御可能な圧力付与領域（例えばそのような部分の各々に対応付けられた身体の領域に対して圧迫を適用するための１つまたは複数の頭部圧力付与領域の各々、ガーメントの１つまたは複数の部分に対応する身体の１つまたは複数の領域に対して圧迫を適用するための１つまたは複数の頭部圧力付与領域）を含んでよい。
【００３８】
頭部ガーメント部分１２０はまた、右頬ガーメント部分１２２と、左頬ガーメント部分１２４とを含んでよい。右頬ガーメント部分１２２は、頭部の右頬に近接して位置決め可能であってよく、左頬ガーメント部分１２４は、頭部の左頬に近接して位置決め可能であってよい。右頬ガーメント部分１２２及び左頬ガーメント部分１２４の各々は、頬の一部に圧力を加えるように構成可能または制御可能であり得る圧力付与領域（例えば１つまたは複数の頬圧力付与領域）を含んでよい。頭部ガーメント部分１２０はまた、顎下ガーメント部分１２５を含んでよい。顎下ガーメント部分１２５は、顎の下の一部（例えば「首のたるみ」領域）に圧力を加えるように構成可能であり得る圧力付与領域（例えば１つまたは複数の顎下圧力付与領域）を含んでよい。
【００３９】
頭部ガーメント部分１２０は、様々な異なる方法で身体の頭部に着用されてよい。例えば頭部ガーメント部分１２０の一部は、多様な異なるストラップまたは接続要素を利用して頭部ガーメント部分１２０の他の部分に装着されてよい。任意の好適な接続具が、頭部ガーメント部分１２０または本明細書に記載される任意の他のガーメント部分を着用するのに使用されてよく、例えば可撓性または剛性の接続要素、面ファスナー、ガーメントに接続されたストラップ、追加のまたは別個の接続ガーメント要素またはストラップ、嵌め合いフック、身体の一部（例えば鼻の鼻梁など）に対して形成されるように成形された要素などである。
【００４０】
このようなストラップ及び接続要素は、頭部ガーメント部分１２０の一部（例えば圧力付与領域に対応付けられた面）を身体の表面に近づけて維持することができることで、例えば流体が圧力付与領域の小室に提供される際に、頭部ガーメント部分１２０が身体の特定の部分（例えば頬、顎の下、額、こめかみ）に効果的に圧力を加えることができる。換言すると、ストラップまたは接続要素は、圧力付与領域を利用して圧力が加えられる際に（例えば流体が圧力付与領域の小室に提供される際など）、頭部ガーメント部分１２０が身体の一部の表面から離れて移動するのを阻止するのを助けることができ、その代わりに、例えば身体の一部の近くに留まらせることで圧力を効果的に加えることができる。様々なストラップまたは接続要素が、圧力が加えられる際、ガーメント部分を身体から離れて移動しないように維持することで、ガーメントの縁部の圧力付与領域でさえ（例えば圧力を均等に加えるための）そのような縁部（例えば頭部の頬に近接するガーメントの縁部、頭部の顎の付近のガーメントの縁部、顎の下の付近のガーメントの縁部、頭部のこめかみの付近のガーメントの縁部など）に隣接する身体の領域に圧力を加える間、所定の場所に維持される。
【００４１】
例えば頭部ガーメント部分１２０は、顎下ガーメント部分１２５、１つまたは複数の鼻接続要素１３０、額ガーメント部分１３２、頭頂部ストラップ１３７及び後頭部ストラップ１３８を含んでよく、これらの各々は、頭部ガーメント部分１２０を所定の場所に維持するためにストラップまたは接続要素として作用することができる。顎下ガーメント部分１２５は、右頬ガーメント部分１２２と、左頬ガーメント部分１２４を接続するように構成された１つまたは複数の顎下接続要素１２７を含んでよい。１つまたは複数の顎下接続要素１２７はまた、身体の頭部に頭部ガーメント部分１２０を着用する際に使用するように構成されてよい（例えば頭部ガーメント部分１２０を所定の場所で頭部に締め付ける）。換言すると、頭部ガーメント部分１２０を頭部に着用するのを助けるために、頭部ガーメント部分１２０が頭部に位置決めされる際、１つまたは複数の顎下接続要素１２７は、右頬ガーメント部分１２２と、左頬ガーメント部分１２４を互いに近づけるように引っ張ることができる。
【００４２】
１つまたは複数の鼻接続要素１３０は、頭部の鼻梁に近接して位置決め可能であり、例えば頭部ガーメント部分１２０を頭部に近接して、かつ右頬ガーメント部分１２２及び左頬ガーメント部分１２４を頬の表面に近接して維持するために、右頬ガーメント部分１２２と、左頬ガーメント部分１２４を接続するように構成されてよい。例えば１つまたは複数の鼻接続要素１３０は、頭部の鼻梁の面に隣接して位置決めされるように成形された剛性の部分を含んでよい（例えばこの剛性の部分は、１つまたは複数の可撓性の部分によって右頬ガーメント部分１２２及び左頬ガーメント部分１２４に接続されてよい）。
【００４３】
額ガーメント部分１３２は、頭部の額に近接して位置決め可能であってよい。額ガーメント部分１３２は、頭部ガーメント部分１２０を頭部に着用する際に使用するように構成され得る１つまたは複数の額接続要素を含んでよい。換言すると、１つまたは複数の額接続要素は、頭部ガーメント部分１２０を身体の頭部に位置決めする（例えば固定する）ために、頭部ガーメント部分１２０の一部を頭部ガーメント部分１２０の別の部分に近づけるように引っ張ることができる。１つまたは複数の実施形態において、頭部ガーメント部分１２０は、頭頂部に近接して位置決めされ、頭部ガーメント部分１２０を頭部に着用するのを助けるように構成された１つまたは複数のストラップを含んでよい。例えば頭頂部ストラップ１３７及び後頭部ストラップ１３８は、頭の頂部と、後頭部にそれぞれ近接して位置決めされてよく、頭部ガーメント部分１２０を頭部に着用するのを助けることができる。１つまたは複数の実施形態において、頭頂部ストラップ１３７及び後頭部ストラップ１３８は、頭の頂部全体を覆う場合もある。図１Ａ〜図１Ｂに示されるように頭部ガーメント部分１２０は、頭の頂部に近接して、例えば頭頂部ストラップ１３７と後頭部ストラップ１３８の間に頭部開放領域１３５を画定する。
【００４４】
頭部ガーメントの圧力付与領域が、頭部の所望される領域に隣接して適切に位置決めされ、圧力が動的にまたは静的に加えられる際、位置決めされたまま維持されるように、頭部ガーメントの異なる部分を接続するのに任意の数のストラップまたは接続要素が使用される場合があることが認識されるであろう。
【００４５】
頭部ガーメント部分１２０に結合された首ガーメント部分１１０が、図１Ａ〜図１Ｂに示される。首ガーメント部分１１０は、身体の首に着用されるように構成されてよい。１つまたは複数の実施形態において、首ガーメント部分１１０は、首の後部から首の前面まで首の両側を囲むように位置決めされるように構成されるように記載されてよい。首ガーメント部分１１０は、首の一部に圧力を加えるように構成可能または制御可能であり得る圧力付与領域（例えば１つまたは複数の首圧力付与領域）を含んでよい。
【００４６】
首ガーメント部分１１０は、第１の首ガーメント部分（例えば右側の首ガーメント部分１１２）と、第２の首ガーメント部分（例えば左側の首ガーメント部分１１４）とを含んでよい。第１の首ガーメント部分は、首の右の部分または右側に近接して位置決め可能であってよく、第２の首ガーメント部分は、首の左の部分または左側に近接して位置決め可能であってよい。１つまたは複数の実施形態において、第１の首ガーメント部分（例えば右側の首ガーメント部分１１２）は、首の後部から首の前面まで首の右側に位置決め可能（例えばその周りに巻き付けられる）であるように記載されてよく、第２の首ガーメント部分（例えば左側の首ガーメント部分１１４）は、首の後部から首の前面まで首の左側に位置決め可能（例えばその周りに巻き付けられる）であるように記載されてよい。
【００４７】
１つまたは複数の実施形態において、第１の首のガーメント部分は、第２の首のガーメント部分とは別個である（例えば一方の部分は、他方の部分におけるものとは別個の圧力付与領域を含んでよい）。他の実施形態では第１のガーメント部分と、第２のガーメント部分は、１つの部分である場合もある。第１の首のガーメント部分及び第２の首のガーメント部分はそれぞれ、首の右側と左側に圧力を加えるように構成可能または制御可能であってよい。例えば第１の首のガーメント部分及び第２の首のガーメント部分の圧力付与領域は、第１の首のガーメント部分と第２の首のガーメント部分の間で交互に圧力を加える、またはそれらに同時に圧力を加えるように制御可能または構成可能であってよい。具体的には、第１の首のガーメント部及び第２の首のガーメント部分の圧力付与領域は、治療期間の１つの治療サイクルの中で第１の首のガーメント部分と第２の首のガーメント部分の各々の間で交互に圧力を加えることで（例えば第１の首のガーメント部分、その後第２の首のガーメント部分、その後第１の首のガーメント部分など）  、圧迫治療中にリンパ液が頭部から首を通って胴体へと流れる際、個人が意識を失う可能性を最小限にするのに役立つように制御可能または構成可能であってよい。
【００４８】
ガーメント１０１はまた、図１Ａ〜図１Ｂに示されるように身体の胴体に近接して位置決め可能な胴体ガーメント部分分１４０を含んでよい。１つまたは複数の実施形態において、胴体ガーメント部分分１４０は、胴体の背面から胴体の前面まで胴体の両側を囲むように位置決めされるように構成されるように記載されてよい。胴体ガーメント部分１４０は、胴体の１つまたは複数の部分に圧力を加えるように構成可能または制御可能な圧力付与領域（例えば１つまたは複数の胴体圧力付与領域）を含んでよい。１つまたは複数の実施形態において、胴体ガーメント部分１４０は、頭部ガーメント部分１２０に結合されてよい。さらに１つまたは複数の実施形態において、首ガーメント部分１１０は、頭部ガーメント部分１２０の少なくとも一部と、胴体ガーメント部分１４０の少なくとも一部の間で結合されてよい。さらに他の実施形態において、胴体ガーメント部分１４０は、頭部ガーメント部分１２０にも、首ガーメント部分１１０にも結合されない場合もある。さらに胴体ガーメント部分１４０は、身体の首に近接して配置可能な襟部分を含んでよい（例えば首ガーメント部分に取り外し可能に結合可能である、着用される際首ガーメント部分に重なるなど、例えば首ガーメント部分と共に、またはそれなしで、身体の首を覆うように利用可能である）。
【００４９】
胴体ガーメント部分１４０は、背面胴体ガーメント部分１５０、右側の胴体ガーメント部分１５１及び左側の胴体ガーメント部分１５２を含んでよい。背面胴体ガーメント部分１５０は、身体の胴体の背面に近接して位置決め可能であってよく、右側の胴体ガーメント部分１５１は、背面胴体ガーメント部分１５０から延びており、胴体の前面に位置決め可能であってよく、左側の胴体ガーメント部分１５２は、背面胴体ガーメント部分１５０から延びており、胴体の前面に位置決め可能であってよい。１つまたは複数の実施形態において、右側の胴体ガーメント部分１５１及び左側の胴体ガーメント部分１５２は、ガーメント１０１が身体に位置決めされる際、胴体の背面に近接して重なり合う場合がある（例えば図１Ａに示されるように左側の胴体ガーメント部分１５２の少なくとも一部は、右側の胴体ガーメント部分１５１の一部に重なる）。１つまたは複数の実施形態において、右側の胴体ガーメント部分１５１は、右腕がガーメント１０１から外向きに延出するように身体の右腕に近接して右腕開口部１５３を画定する場合があり、左側の胴体ガーメント部分１５２は、左腕がガーメント１０１から外向きに延出するように身体の左腕に近接して左腕開口部１５４を画定する場合がある。
【００５０】
右側の胴体ガーメント部分１５１と、左側の胴体ガーメント部分１５２が、胴体ガーメント部分１４０を身体の胴体に着用した後、互いに結合されることで、胴体ガーメント部分１４０を胴体に装着（例えば固定）することができる。右側の胴体ガーメント部分１５１は、任意の好適なやり方で左側の胴体ガーメント部分１５２に結合されてよい。例えば右側胴体ガーメント部分１５１及び／または左側の胴体ガーメント部分１５２は、例えば右側の胴体ガーメント部分１５１を左側の胴体ガーメント部分１５２に留める、または結合させるために取り付け具を含んでよい。そのような取り付け具は、面ファスナーまたは本明細書に記載される任意の他の留め具を含んでよい。
【００５１】
さらに例えばガーメント１０１は、右側の胴体ガーメント部分１５１を左側の胴体ガーメント部分１５２に結合する（例えば胴体の前面に近接して）ように構成された取り付け具１８０（例えば取り付け構造）を含んでよい。例えば取り付け具１８０は、右側の胴体ガーメント部分１５１に結合可能な右ストラップ１８１と、左側の胴体ガーメント部分１５２に結合可能な左ストラップ１８２と、右ストラップ１８１を左ストラップ１８２に結合するように構成された留め具１８３とを含んでよい。留め具１８３は、右ストラップ１８１に結合可能な右の留め金と、左ストラップ１８２に結合可能な左の留め金とを含んでよい。右の留め金が左の留め金と噛み合うことで留め具１８３を固定することができる。右ストラップ１８１と、左ストラップ１８２は、面ファスナーを利用して右側の胴体ガーメント部分１５１と、左側の胴体ガーメント部分１５２にそれぞれ結合可能であってよい。換言すると、右ストラップ１８１と、左ストラップ１８２は、右側の胴体ガーメント部分１５１と、左側の胴体ガーメント部分１５２に対して調節可能であり、その後留め具１８３（例えばユーザが解放可能な嵌め合い要素など）を利用して合わせて結合されてよい。これにより最初に胴体ガーメント部分１４０が患者に適合される際、右ストラップ１８１及び左ストラップ１８２を胴体ガーメント部分１４０上に配置させることが可能になるが、その後胴体ガーメント部分１４０は、留め具１８３を利用してより容易に着脱することができる。例えば、それは、胴体ガーメント部分１４０を着用している個人がより容易に外すことができ、かつより容易に再び噛み合わせることができる胴体ガーメント部分１４０を実現する。
【００５２】
１つまたは複数の実施形態において、取り付け具１８０は、胴体ガーメント部分１４０に取り外し可能に結合可能な（例えば右側の胴体ガーメント部分１５１において）右の取り付け部分と、胴体ガーメント部分１４０に取り外し可能に結合可能な（例えば左側の胴体ガーメント部分１５２において）左の取り付け部分とを含んでよい。右の取り付け部分及び左の取り付け部分は、例えば面ファスナーまたは任意の他の好適な留め具を利用して胴体ガーメント部分１４０に結合されてよい。右の取り付け部分及び左の取り付け部分は、ジッパー、またはこれらの部分を合わせて結合するための任意の他の好適な方法を用いて結合されてよい。このような設計により、右の取り付け部分及び左の取り付け部分を、胴体ガーメント部分１４０に適合するように最初に配置することを可能にし、その後胴体ガーメント部分１４０は、ジッパーを開け閉めすることによって着脱（例えば締め付けたり緩めたり）することができる。換言すると、右の取り付け部分及び左の取り付け部分は、胴体ガーメント部分１４０に装着された状態のままであってよく、ジッパーのみを胴体ガーメント部分１４０を着脱するために移動させる必要がある。
【００５３】
右側の胴体ガーメント部分１５１は、右胸ガーメント部分１４２と、右の腋窩部ガーメント部分１４４とを含んでよい。右胸ガーメント部分１４２及び右の腋窩部ガーメント部分１４４の各々は、背面胴体ガーメント部分１５０から胴体の前面まで延在してよい。右胸ガーメント部分１４２は、胴体の右肩から胴体の右の前面領域（例えば胸の右側、下腹部の右側など）に向かって延在してよい。右の腋窩部ガーメント部分１４４は、胴体の右の脇の下の領域に近接して位置決め可能であってよい。
【００５４】
左側の胴体ガーメント部分１５２は、左胸ガーメント部分１４６と、左の腋窩部ガーメント部分１４８とを含んでよい。左胸ガーメント部分１４６及び左の腋窩部ガーメント部分１４８は、背面胴体ガーメント部分１５０から胴体の前面まで延在してよい。左胸ガーメント部分１４６は、胴体の左肩から胴体の左の前面領域（例えば胸の左側、下腹部の左側など）に向かって延在してよい。左の腋窩部ガーメント部分１４８は、胴体の左の脇の下の領域に近接して位置決め可能であってよい。
【００５５】
圧迫ガーメントシステム１００はまた、ガーメント１０１の圧力付与領域の各々によって身体の一部に加えられる圧力を制御するように構成されたコントローラ１０２または制御装置を含んでよい。例えばコントローラ１０２は、互いから独立してまたは同時に、圧力付与領域の各々によって身体の一部に加えられる圧力を制御することができる。さらに例えば、圧力付与領域は、集団で、または組み合わせて制御される場合もある。１つまたは複数の実施形態において、コントローラ１０２は、例えばリンパ浮腫の治療を行うのに適した多様な種類の異なるシーケンスで（例えば所定のやり方で圧力を加える）圧力付与領域を制御するように構成されてよい。
【００５６】
さらにコントローラ１０２は、ガーメント１０１に対応付けられた１つまたは複数の圧力センサ（例えば圧力付与領域に近接してガーメント１０１内に設けられたセンサ）によって測定された１つまたは複数の圧力に基づいて圧力を制御することができる。本明細書に記載される特徴的機構（例えばセンサ）を有するように修正され得る１つまたは複数の圧迫ガーメントは、「Ｌｙｍｐｈｅｄｅｍａ  Ｔｒｅａｔｍｅｎｔ  Ｓｙｓｔｅｍ」というタイトルの米国特許第６，８６０，８６２号、「Ｌｙｍｐｈｅｄｅｍａ  Ｔｒｅａｔｍｅｎｔ  Ｓｙｓｔｅｍ」というタイトルの米国特許第６，９６６，８８４号、「Ｌｙｍｐｈｅｄｅｍａ  Ｔｒｅａｔｍｅｎｔ  Ｓｙｓｔｅｍ」というタイトルの米国特許第６，１７９，７９６号、Ｌｙｍｐｈｅｄｅｍａ  Ｔｒｅａｔｍｅｎｔ  Ｓｙｓｔｅｍ」というタイトルの米国特許第６，６４５，１６５号に見いだされる１つまたは複数の特徴と似ており、かつそれを含む場合があり、これらの特許は参照により本明細書に組み込まれている。
【００５７】
１つまたは複数の実施形態において、制御装置またはコントローラ１０２（例えば１つまたは複数の方法またはプロセスを実行し、１つまたは複数の種類のメモリが実装されている、１つまたは複数のプログラムまたはルーチンを利用する１つまたは複数のプロセッサ）は、システム及び／またはその１つまたは複数の要素（例えば１つまたは複数の圧力付与領域によって圧迫治療を提供するなど）を制御するように構成されてよい。１つまたは複数の実施形態において、制御装置は、有線及び／または無線技術を利用して圧迫システムを制御するように構成されてよい。
【００５８】
本システムに帰するものを含め、本開示に記載される方法及び／または論理及び／または構成あるいは種々の構成する要素は、少なくとも一部が、ハードウェア、ソフトウェア、ファームウェアまたはその任意の組み合わせにおいて実装されてよい。例えばこれらの技術の種々の態様は、１つまたは複数のマイクロプロセッサ、マイクロコントローラ、ＤＳＰ、ＡＳＩＣ、ＦＰＧＡ、または任意の他の等価な集積論理回路もしくはディスクリート論理回路、ならびにそのような構成要素の任意の組み合わせ、もしくはその他のデバイスを含む１つまたは複数のプロセッサにおいて実装されてよい。「プロセッサ」または「プロセッシング回路」という用語は、単独で、または他の論理回路と組み合わせた上述の論理回路、または任意の他の等価な回路のいずれかを指してよい。
【００５９】
そのようなハードウェア、ソフトウェア及び／またはファームウェアは、本開示に記載される様々な動作及び機能をサポートするために同一のデバイスまたは別個のデバイス内に（例えばシステムの中、システムの外、その両方の組み合わせ）実装されてよい。加えて、記載される構成要素のうちの一部は、一緒に実装される場合、またはディスクリートではあるが相互使用可能な論理デバイスとして別個に実装される場合がある。様々な特徴の記載は、様々な機能的態様を強調することを意図しているのであって、そのような特徴が別個のハードウェアまたはソフトウェアコンポーネントによって実現されなければならないことは必ずしも示唆していない。むしろ機能性は、別個のハードウェアまたはソフトウェアコンポーネントによって実行されてよい、または共通のまたは別個のハードウェアまたはソフトウェアコンポーネントの中に統合される場合もある。
【００６０】
ソフトウェアに実装される場合、本開示に記載されるシステム及び方法に帰する機能性は、ＲＡＭ、ＲＯＭ、ＮＶＲＡＭ、ＥＥＰＲＯＭ、ＦＬＡＳＨメモリ、磁気データ記憶媒体、光学データ記憶媒体などのコンピュータ可読媒体において命令及び／または論理として具現化されてよい。このような命令及び／または論理は、本開示に記載される機能性の１つまたは複数の態様をサポートするために１つまたは複数のプロセッサによって実行されてよい。
【００６１】
さらに、圧迫ガーメントシステム１００は、圧迫ガーメント１０１が１つまたは複数の流体で満たされた小室を含む場合、圧迫治療を適用するために、圧力付与領域の各々の１つまたは複数の小室（例えば図８Ａに示されるような１つまたは複数の小室）に、流体を提供する／例えば小室内の液体またはカズなどの流体をそこから取り除くために制御装置１０２によって制御され得るポンプ１０３を含んでよい。例えばポンプ１０３は、複数の圧力付与領域に対応する複数の小室のうちの１つまたは複数に流体の流れを提供する、またはそこから流体を取り除くために、複数のラインまたは配管１０５によって複数の小室のうちの１つまたは複数に接続されてよい。
【００６２】
さらに、１つまたは複数の実施形態において、図１Ａ〜図１Ｂに示されるように、コントローラ１０２は、点線１０４によって全体が描かれるように１つまたは複数の電線を介して及び／または無線により圧迫ガーメントシステムの１つまたは複数の構成要素に接続されてよい。例えばコントローラ１０２は、物理的な電気接続を利用して及び／または無線により、圧力付与領域（例えば身体に圧力を加えるように構成されたガーメントの電気により作動可能な圧力付与領域）と通信しこれを制御するために接続されてよい。
【００６３】
コントローラ１０２の制御の下にあるガーメント１０１の制御可能な圧力付与領域は、システム１００が、ガーメント１０１を着用している個人（例えば患者）に圧迫治療を提供することで、リンパが、例えば図２Ａに示される方向４０などの所望される方向に身体１０の中をくまなく流れることを可能にする。換言すると、圧力付与領域を多様な異なるシーケンスで制御する（例えば所定のやり方で圧力を加える）ことによって、例えばリンパ液は概ね身体１０の頭部１４から身体１０の首１１に向かって流れることができる。例えばリンパ液は、頭部１４の前面３０から頭部１４の後部３２に向かって、及び首１１に向かって下方に流れるように制御されてよい。具体的には、例えばリンパ液は、額１５から、鼻梁１９、及び顎の下１８から、右頬１７に向かって、首１１（例えば首の右側１２）及び胴体２０の背面２５に向かって下方に流れることができる。このようなリンパ液の方向４０は、余剰のリンパ液を頭部１４から移動させ、最終的にはそのようなリンパ液を胴体２０（例えば体幹、肩、胸、背中、ウエストなど）に向かって移動させることによって個人の苦痛を軽減することができる。
【００６４】
身体１０の頭部１４及び首１１に位置する種々のリンパ節が、図２Ｂに示されている。例えば、おとがい下のリンパ節５２は、頭部１４の顎の下１８に位置しており、耳下腺リンパ節５０は、右頬１７と左頬１６に近接して位置している（左頬１６の耳下腺リンパ節は図２Ｂには示されない）。リンパ液の蓄積は、耳下腺リンパ節５０及びおとがい下のリンパ節５２の近くで生じる可能性があり、身体１０に着用された圧迫ガーメントによって圧迫治療中に、方向矢印４０によって図示されるように（例えば少なくとも頬１６、１７及び顎の下１８に近接する圧力付与領域を所定のやり方で制御することによって）頭部１４の後部３２に向かって押しやることができる。圧迫治療を続けることによって（例えば少なくとも頭部１４の両側及び頭部１４の後部３２に近接する圧力付与領域を制御することによって）、リンパ液はその後、首１１に近接して位置する顎下腺リンパ節５４ならびに浅頚動脈リンパ節及び深頚動脈リンパ節５６に向かって移動する。圧迫治療はその後、（例えば少なくとも首１１に近接する圧力付与領域を所定のやり方で制御することによって）リンパ液を右の鎖骨下及び鎖骨上リンパ節５８と、左の鎖骨下及び鎖骨上リンパ節６０（これらは首１１の根元に、右肩２４と左肩２３にそれぞれ近接して位置する）に向かって、及び胴体２０に向かって下方に移動させるように構成される。
【００６５】
頭部１４の後部３２及び胴体２０に位置する種々のリンパ節が図２Ｃに示される。圧迫ガーメントを利用する圧迫治療において（例えば頭部ガーメント１２０及び首ガーメント１１０の圧力付与領域を所定のやり方で制御することによる）、リンパ液は、身体１０の後部３２に沿って頭部１４から胴体２０に向かって下方に進むことができる。例えばリンパ液は、頭１４の頂部から、首１１の右側１２に近接して位置する右の耳介後方リンパ節６６及び右の後頭部のリンパ節７０に向かって、ならびに首１１の左側１３に近接して位置する左の耳介後方リンパ節６８及び左の後頭部のリンパ節７２に向かって進むことができる。圧迫治療（例えばガーメント１０１の圧力付与領域を所定のやり方で制御することによる）はその後、リンパ液を頭部１４からさらに下方に移動させ、右肩２３及び左肩２４を過ぎて、胴体２０に向かって移動させる。具体的にはリンパ液は、右の脇の下の領域２１に近接して位置する右の腋窩部リンパ節６２及び左の脇の下の領域２２に近接して位置する左の腋窩部リンパ節６４に向かって移動することができる。
【００６６】
１つまたは複数の頭部圧力付与領域１２１を含む一例の頭部ガーメント部分１２０の平面図が図３に示される。１つまたは複数の実施形態において、１つまたは複数の頭部圧力付与領域１２１の少なくとも一部は、弓形の形状を画定してよい。１つまたは複数の頭部圧力付与領域１２１は、頭部ガーメント部分１２０が頭部に位置決めされる際、頭部の一部に圧力を加えるように制御可能（例えば図１Ａ〜図１Ｂに示されるコントローラ１０２を利用して）であってよい。１つまたは複数の頭部圧力付与領域１２１は、頭部の様々な場所に圧力を加えるために、頭部ガーメント部分１２０内の様々な場所に配置されてよい。例えば本明細書に記載されるように、頭部ガーメント部分１２０は、頭部の右側に近接して位置決め可能な右側の頭部ガーメント部分１３４と、頭部の左側に近接して位置決め可能な左側の頭部ガーメント部分１３６とを含んでよい。右側の頭部ガーメント部分１３４及び左側の頭部ガーメント部分１３６に対応付けられた１つまたは複数の頭部圧力付与領域１２１は、頭の右側と、頭の左側にそれぞれ圧力を加えるように制御可能であってよい。
【００６７】
１つまたは複数の実施形態において、１つまたは複数の頭部圧力付与領域１２１の各々は、頭部の一部に圧力を加えるように制御され得るように任意の好適なやり方で構成されてよい。例えば１つまたは複数の頭部圧力付与領域１２１は、流体チャンバまたは小室、空気圧付与領域、領域に圧力を加える作動可能要素、油圧付与領域などを含んでよい。具体的には、図３〜図７に示される１つまたは複数の頭部圧力付与領域１２１、ならびにそこに示される他のガーメント部分の他の圧力付与領域は、流体（例えば空気、液体など）を収容するように構成された１つまたは複数の小室を含む。
【００６８】
１つまたは複数の実施形態において、１つまたは複数の頭部圧力付与領域１２１は、例えば流体流れ、空気流など、そこに提供される流体の制御を通して１つまたは複数の小室を利用して頭部の一部に圧力を加えるように構成されてよい。例えば頭部ガーメント部分１２０は、これを通って流体が１つまたは複数の小室に提供され得る（例えばセンサフィードバックシステムを用いるコントローラ１０２の制御の下で、図１Ａ〜図１Ｂに示されるポンプ１０３を用いるなどして）１つまたは複数の頭部ガーメントポート１３９を含んでよい。さらに１つまたは複数の実施形態において、１つまたは複数の頭部圧力付与領域１２１は、頭部の一部に圧力を加えるように構成された１つまたは複数の頭部作動可能要素（例えば非流体収容領域）を含んでよい（例えば電気信号を利用して、ガーメント内の電気により作動可能な線維などのガーメント内の特定の要素を作動させることで、そのような繊維を含む領域が身体の一部に圧力を加える）。１つまたは複数の実施形態において、１つまたは複数の頭部圧力付与領域１２１は、流体を収容するように構成された１つまたは複数の小室と、１つまたは複数の作動可能要素の両方を含む場合もあり、その両方が頭部の一部に圧力を加えるように構成されてよい。
【００６９】
さらに、本明細書に記載されるように、頭部ガーメント部分１２０は、右頬ガーメント部分１２２と、左頬ガーメント部分１２４とを含んでよく、その各々が、１つまたは複数の頬圧力付与領域１２３を含んでよい（例えば、ガーメント部分の各々は、他のガーメント部分と共有される圧力付与領域の一部を含む場合があり、例えば同一の圧力付与領域を使用して、右頬及び左頬、ならびにさらには後部ガーメント部分に対応付けられた身体の場所で圧迫を適用する場合がある）。１つまたは複数の頬圧力付与領域１２３の各々は、そこからリンパ液を移動させるのを助けるために頬の一部に圧力を加えるように制御可能であってよい。右頬ガーメント部分１２２及び左頬ガーメント部分１２４の各々は、右側の頭部ガーメント部分１３４と、左側の頭部ガーメント部分１３６の中にそれぞれ延出し、右頬ガーメント縁部１６１と、左頬ガーメント縁部１６２に沿って終端してよい（例えばそのような縁部の一部は、頭部の鼻梁付近に位置しており、この部分は、１つまたは複数の鼻接続要素によって合わせて結合されてよい）。
【００７０】
同様に、本明細書に記載されるように、頭部ガーメント部分１２０は、顎の下の一部（例えば「首のたるみ」領域）に圧力を加えるように構成可能な顎下ガーメント部分１２５を含んでよい。例えば顎下ガーメント部分１２５は、１つまたは複数の顎下圧力付与領域１２６を含んでよい。１つまたは複数の顎下圧力付与領域１２６の各々は、そこからリンパ液を移動させるのを助けるために特定の部分に圧力を加えるように制御可能であってよい。
【００７１】
また本明細書に記載されるように、頭部ガーメント部分１２０は、後頭部ガーメント部分１２８を含んでよい。後頭部ガーメント部分１２８は、１つまたは複数の後頭部圧力付与領域１２９を含んでよい。１つまたは複数の後頭部圧力付与領域１２９の各々は、そこからリンパ液を移動させる（例えば胴体に向かって下向きに）のを助けるために後頭部の一部に圧力を加えるように制御可能であってよい。
【００７２】
任意の数の圧力付与領域１２１が、例えば図２Ａ〜図２Ｃを参照して記載されるようにリンパ液を移動させるようにそれらを制御することができるように頭部ガーメント部分１２０の中に構成されてよい。例えば図３に示されるように、３つの頭部圧力付与領域１２１が実装されている。しかしながら任意の数の頭部圧力付与領域１２１が実装されてよい（例えば、４つの頭部圧力付与領域１２１が使用される場合もある）。３つの圧力付与領域１２１の各々は、ユーザの頭部の周りに位置決め可能な頭部ガーメント部分１２０の全体の長さに沿って（例えば頭の前方右側から、後頭部を囲んで、頭の前方左側に向かって）延在してよい。例えば頭部圧力付与領域１２１の各々は、顎下ガーメント部分１２５、右頬ガーメント部分１２２、左頬ガーメント部分１２４及び後頭部ガーメント部分１２８の中に延在してよい（例えば、これは頭部において下方及び後方に圧力を付与するのに有益であり得る）。換言すると、顎下ガーメント部分１２５、右頬ガーメント部分１２２、左頬ガーメント部分１２４及び後頭部ガーメント部分１２８が互いに一体化され得ることで、頭部圧力付与領域１２１は、１つまたは複数の特定の部分にわたってまたがることができる。例えば外側の頭部圧力付与領域１２１（例えば縁部１６１、１６２の隣）における圧力の付与、その後に続くより内側にある圧力付与領域による圧力の付与が、所望されるリンパ液の移動を生じさせることができる。
【００７３】
１つまたは複数の実施形態において、頭部圧力付与領域１２１は、右頬及び左頬の前方から（例えば額において）後頭部に向かって進行するように圧力を加えることができるように位置決めされてよい。例えば圧力は、前頭部において右頬ガーメント部分１２２及び左頬ガーメント部分１２４に近接する領域に加えられ、その後右頬ガーメント部分１２２及び左頬ガーメント部分１２４における頬の中央に近接する領域に加えられ、その後右頬ガーメント部分１２２及び左頬ガーメント部分１２４における後頭部により近い頬の部分に近接する領域に加えられてよい。１つまたは複数の実施形態において、圧力が右頬ガーメント部分１２２及び左頬ガーメント部分１２４において前頭部から後頭部に向かって加えられる際、圧力はまた、後頭部ガーメント部分１２８において頭頂部から首に向かって加えられる場合もある。１つまたは複数の実施形態において、これは、３つの頭部圧力付与領域１２１（例えば図３に示される）が、右頬ガーメント部分１２２と、左頬ガーメント部分１２４の間に（例えばガーメントの長さに沿って）に延在し、かつ後頭部ガーメント部分１２８を横切るように延在して連続していることに起因して生じる可能性がある（例えばそのような圧力付与領域の各々は、別個の流体導管によって供給される別個の小室であってよい）。本明細書に記載されるように、ガーメント部分が１つまたは複数の圧力付与領域を含むように記載される場合、そのような１つまたは複数の圧力付与領域は、別個の圧力付与領域である場合、または１つまたは複数の他のガーメント部分と共有される圧力付与領域である場合もある。（例えば頬ガーメント部分と、後頭部ガーメント部分は、同一の圧力付与領域を利用して、それに対応付けられた身体の一部に圧迫を適用する場合もある）。
【００７４】
しかしながらそのような頭部圧力付与領域１２１は、頭部ガーメント部分１２０の巻き付け可能な長さに沿って、そのような所望されるリンパ液の移動を生み出すように制御可能な任意の数の異なる別個の小室を含む場合がある。例えば頭部圧力付与領域１２１は、右頬ガーメント部分１２２及び左頬ガーメント部分１２４と、後頭部ガーメント部分１２８の間で分離可能であってよい。換言すると、頭部圧力付与領域１２１は、圧力を右頬及び左頬から（例えば前頭部に近接して）後頭部に向かって、及び／または後頭部の頂部から首に向かって（例えばリンパ液を頬から後頭部における首に向かって移動させるために）加えることを可能にすることができる任意の好適な方法で分離されてよい。例えば頭部圧力付与領域１２１は、各々の頭部圧力付与領域１２１がリンパ液を所望される方向に（例えば図２Ａ〜図２Ｃに示されるように）移動させるように独立して制御可能であってよい。
【００７５】
頭部ガーメント部分１２０はまた、圧力を加える助けをし、かつ頭部ガーメント部分１２０を着用するのを助けるために、頭頂部に近接して上方頭部ガーメント部分１３１を含んでよい。例えば上方頭部ガーメント部分１３１は、圧力が加えられる際、頭部の表面に隣接して圧力付与領域を固定するのを助けるために、３つの圧力付与領域１２１のうちの最も外側の圧力付与領域に隣接するガーメント領域１５５を含んでよい。さらに例えば、頭部ガーメント部分１２０は、頭頂部及び後頭部に近接して位置決め可能な（例えば面ファスナー接続要素を利用して）後頭部ストラップ１３８と、頭頂部に近接して位置決め可能な頭頂部ストラップ１３７（例えば、頭部ガーメント部分１２０が着用される際、頭頂部を横切るようにして頭部ガーメント部分１２０の２つの異なる領域１６３に接続可能な別個のストラップ）と、額に近接して位置決め可能な（例えば面ファスナー接続要素を利用して）額ガーメント部分１３２とを含んでよい。
【００７６】
額ガーメント部分１３２は、額の一部に圧力を加えるように構成可能であってよい。１つまたは複数の実施形態において、額ガーメント部分１３２は、額の一部に圧力を加えるように制御可能な１つまたは複数の額圧力付与領域１３３を含んでよい。任意の数の上方頭部ガーメント部分１３１を使用して、頭部ガーメント部分１２０を頭部に固定することができることが認識されるであろう。例えば、本明細書に提供される図面は、頭部ガーメント部分１２０を着用する際に使用するためのストラップを示しているが、頭部ガーメント部分１２０は、ストッキング・キャップに似た構成で設けられる場合もあり、この場合頭頂部全体においてストラップは全く使用されない。
【００７７】
１つまたは複数の首圧力付与領域１１１を含む一例の首ガーメント部分１１０の平面図が図４に示されている。１つまたは複数の実施形態において、１つまたは複数の首圧力付与領域１１１の少なくとも一部は、弓形の形状を画定してよい。１つまたは複数の首圧力付与領域１１１は、首ガーメント部分１１０が首に位置決めされる際、首の一部に圧力を加えるように制御可能（例えば図１Ａ〜図１Ｂに示されるコントローラ１０２を利用して）であってよい。
【００７８】
１つまたは複数の実施形態において、首ガーメント部分１１０は、第１の首ガーメント部分（例えば右側の首ガーメント部分１１２）と、第２の首ガーメント部分（例えば左側の首ガーメント部分１１４）とを含んでよい。第１の首ガーメント部分と、第２の首ガーメント部分の各々は、１つまたは複数の首圧力付与領域１１１を含んでよい。１つまたは複数の実施形態において、第１の首ガーメント部分及び第２の首ガーメント部分の１つまたは複数の首圧力付与領域１１１は、仕切り１１３によって分離されてよい。換言すると、仕切り１１３は、第１の首ガーメント部分１１２の１つまたは複数の首圧力付与領域１１１によって加えられる圧力を第２の首ガーメント部分１１４の１つまたは複数の首圧力付与領域から分離する。
【００７９】
１つまたは複数の実施形態において、１つまたは複数の首圧力付与領域１１１の各々は、それらを首の一部に圧力を加えるように制御することができるように構成されてよい。例えば１つまたは複数の首圧力付与領域１１１は、流体チャンバまたは小室、空気圧付与領域、領域に圧力を加える作動可能要素、油圧付与領域などを含んでよい。具体的には、１つまたは複数の首圧力付与領域１１１は、図４に示されるように流体を収容するように構成された１つまたは複数の小室を含んでよい。
【００８０】
例えば、１つまたは複数の実施形態において、１つまたは複数の首圧力付与領域１１１は、例えば流体流れ、空気流など、そこに提供される流体の制御を通して（例えばセンサフィードバックシステムを用いるコントローラ１０２の制御の下で図１Ａ〜図１Ｂに示されるポンプ１０３を用いるなどして）１つまたは複数の小室を利用して頭部の一部に圧力を加えるように構成されてよい。例えば首ガーメント部分１１０は、これを通って流体が１つまたは複数の小室に提供され得る１つまたは複数の首ガーメントポート１１９を含んでよい。１つまたは複数の実施形態において、首ガーメント部分１１０は、右側の首ガーメント部分１１２と、左側の首ガーメント部分１１４の各々に１つずつ（例えば首の右側と左側の間で交互に圧力を加えるのに使用するために）２つの首ガーメントポート１１９を含む場合もある。
【００８１】
さらに１つまたは複数の実施形態において、首圧力付与領域１１１は、首の一部に圧力を加えるように構成された１つまたは複数の首作動可能要素（例えば非流体収容領域）を含んでよい（例えば電気信号を利用して、ガーメント内の電気により作動可能な線維などのガーメント内の特定の要素を作動させることで、そのような線維を含む区画が身体の一部に圧力を加える）。１つまたは複数の実施形態において、１つまたは複数の首圧力付与領域１１１は、流体を収容するように構成された１つまたは複数の小室と、１つまたは複数の首作動可能要素の両方を含む場合もある。
【００８２】
任意の数の任意の数の首圧力付与領域１１１が、例えば図２Ａ〜図２Ｃを参照して記載されるようにリンパ液を移動させるようにそれらを制御することができるように首ガーメント部分１１０の中に構成されてよい。例えば図４に示されるように１つの首圧力付与領域１１１が実装される（例えば点線による追加のポート１１９と、仕切り１１３が用いられているが、２つの圧力付与領域１１１も実装されるように示されている）。単一の圧力付与領域１１１が、ユーザの首の周りに位置決め可能な首ガーメント部分１１０の全体の長さに沿って延在してよい。例えば首圧力付与領域１１１は、第１の端部２１１から第２の端部２１３まで首ガーメント部分１１０の中に延在してよい。しかしながらそのような首圧力付与領域１１１は、首ガーメント部分１１０の巻き付け可能な長さに沿って、また所望されるリンパ液の移動を生み出すように制御可能な任意の数の異なる別個の小室を含んでよい（例えば長さに沿った複数の小室、幅に沿った平行する小室など）。
【００８３】
１つまたは複数の胴体圧力付与領域１４１を含む一例の胴体ガーメント部分１４０の平面図が図５に示されている。任意の数の胴体圧力付与領域１４１が実装されてよい（例えば胴体ガーメント部分１４０は、８つの胴体圧力付与領域１４１を含む場合がある）。１つまたは複数の実施形態において、１つまたは複数の胴体圧力付与領域１４１の少なくとも一部は、弓形の形状（例えば背面から前面にユーザの肩を覆うように延在する胴体圧力付与領域１４１の湾曲した部分）を画定してよい。例えば（例えば、ガーメントの一部のいずれかの）弓形形状は、「Ｌｙｍｐｈｅｄｅｍａ  Ｔｒｅａｔｍｅｎｔ  Ｓｙｓｔｅｍ」というタイトルの米国特許第６，８６０，８６２号、「Ｌｙｍｐｈｅｄｅｍａ  Ｔｒｅａｔｍｅｎｔ  Ｓｙｓｔｅｍ」というタイトルの米国特許第６，９６６，８８４号、「Ｌｙｍｐｈｅｄｅｍａ  Ｔｒｅａｔｍｅｎｔ  Ｓｙｓｔｅｍ」というタイトルの米国特許第６，１７９，７９６号、Ｌｙｍｐｈｅｄｅｍａ  Ｔｒｅａｔｍｅｎｔ  Ｓｙｓｔｅｍ」というタイトルの米国特許第６，６４５，１６５号に見いだされる１つまたは複数の特徴と似ており、これらを含む場合があり、これらの特許は参照により本明細書に組み込まれている。１つまたは複数の胴体圧力付与領域１４１は、胴体ガーメント部分１４０が胴体に位置決めされる際、胴体の１つまたは複数の部分に圧力を加えるように制御されるように（例えば図１Ａ〜図１Ｂに示されるコントローラ１０２を利用して）構成されてよい。
【００８４】
１つまたは複数の胴体圧力付与領域１４１は、胴体の様々な異なる場所に圧力を加えるために胴体ガーメント部分１４０の中の種々の場所に配置されてよい。例えば胴体ガーメント部分１４０は、胴体の右側に近接して位置決め可能な右側の胴体ガーメント部分１５１と、胴体の左側に近接して位置決め可能な左側の胴体ガーメント部分１５２と、胴体の背面に近接して位置決め可能な背面胴体ガーメント部分１５０とを含んでよい。右側の胴体ガーメント部分１５１、左側の胴体ガーメント部分１５２及び背面胴体ガーメント部分１５０に対応付けられた１つまたは複数の胴体圧力付与領域１４１は、胴体の右側、左側及び背面にそれぞれ圧力を加えるように制御可能であってよい。１つまたは複数の実施形態において、右側の胴体ガーメント部分１５１は、胴体の右前面及び胴体の右側に近接して位置されるように記載されてよく、左側の胴体ガーメント部分１５２は、胴体の左前面及び胴体の左側に近接して位置決め可能であるように記載されてよく、そのような領域に対応付けられた胴体圧力付与領域１４１は、胴体の右前面部分と、左前面部分、ならびに胴体の右側と、左側の各々に圧力を加えるように制御可能である、またはそのように構成されてよい。
【００８５】
１つまたは複数の実施形態において、１つまたは複数の胴体圧力付与領域１４１の各々は、所望されるようにリンパ液を移動させるために、領域１４１を胴体の一部に圧力を加えるように制御することができるような任意の好適なやり方で構成されてよい。例えば１つまたは複数の胴体圧力付与領域１４１は、流体チャンバまたは小室、空気圧付与領域、領域に圧力を加える作動可能要素、油圧付与領域などを含んでよい。具体的には、１つまたは複数の胴体圧力付与領域１４１は、流体（例えば空気）を収容するように構成された１つまたは複数の小室を含んでよい。
【００８６】
例えば１つまたは複数の実施形態において、１つまたは複数の胴体圧力付与領域１４１は、そこに提供される流体（例えば液体流れ、空気流など）の制御を通して１つまたは複数の小室を利用して胴体の一部に圧力を加えるように構成されてよい。例えば胴体ガーメント部分１４０は、そこを通って流体が１つまたは複数の小室に提供され得る（例えばセンサフィードバックシステムを用いるコントローラ１０２の制御の下で図１に示されるポンプ１０３を用いて）１つまたは複数の胴体ガーメントポート１５９を含んでよい。
【００８７】
さらに１つまたは複数の実施形態において、１つまたは複数の胴体圧力付与領域１４１は、胴体の一部に圧力を加えるように構成された１つまたは複数の胴体作動可能要素を含んでよい（例えば電気信号を利用して、ガーメント内の電気により作動可能な線維などのガーメント内の特定の要素を作動させることで、そのような線維を含む区画が身体の一部に圧力を加える）。１つまたは複数の実施形態において、１つまたは複数の胴体圧力付与領域１４１は、流体を収容するように構成された１つまたは複数の小室と、１つまたは複数の胴体作動可能要素の両方を含む場合もある。
【００８８】
さらに１つまたは複数の実施形態において、右側の胴体ガーメント部分１５１は、胴体の右肩及び右胸に近接して位置決め可能な右胸ガーメント部分１４２と、胴体の右の脇の下と、胴体の右のウエストに近接して位置決め可能な右の腋窩ガーメント部分１４４とを含んでよい。右胸ガーメント部分１４２は、右胸及び右肩の一部に圧力を加えるように制御可能な１つまたは複数の右胸圧力付与領域１４３を含んでよい。右の腋窩ガーメント部分１４４は、胴体の右の脇の下の下の胴体の一部に圧力を加えるように制御可能な１つまたは複数の右の腋窩圧力付与領域１４５を含んでよい。
【００８９】
さらに、左側の胴体ガーメント部分１５２もまた、胴体の左肩及び左胸に近接して位置決め可能な左胸ガーメント部分１４６と、胴体の左の脇の下と、胴体の左のウエストに近接して位置決め可能な左の腋窩ガーメント部分１４８とを含んでよい。左胸ガーメント部分１４６は、左胸及び左肩の一部に圧力を加えるように制御可能な１つまたは複数の左胸圧力付与領域１４７を含んでよい。左の腋窩ガーメント部分１４８は、胴体の左の脇の下の下の胴体の一部に圧力を加えるように制御可能な１つまたは複数の左の腋窩圧力付与領域１４９を含んでよい。胴体ガーメント部分１４０の圧力付与領域１４１の各々は、所望されるように（例えば首及び肩の領域から胴体の下方部分へと下方に）リンパ液を移動させるために、胴体の一部に圧力を加えるように制御可能であってよい。
【００９０】
任意の数の圧力付与領域１４１が、例えば図２Ａ〜図２Ｃを参照して記載されるようにリンパ液を移動させるようにそれらを制御することができるように胴体ガーメント部分１４０の中に構成されてよい。例えば図５に示されるように、複数の圧力付与領域１４１が、胴体ガーメント部分１４０の中に分散される。１つまたは複数の実施形態において、複数の圧力付与領域１４１は、身体の上部背面胴体領域及び上部前面胴体領域に圧力を加えるように位置決め可能な上部胴体圧力付与領域２６１を含んでよい（例えば胴体ガーメント部分１４０の上縁部２６２に隣接して）。さらに１つまたは複数の実施形態において、複数の圧力付与領域１４１は、身体の下部背面胴体領域及び下部前面胴体領域に圧力を加えるように位置決め可能な下部胴体圧力付与領域２６３を含んでよい（例えば主に腋窩ガーメント部分１４４、１４８の中に延在する）。
【００９１】
圧力付与領域１４１のうちの１つまたは複数は、胴体ガーメント部分１４０の巻き付け可能な長さの全体に沿って延在してよい（例えば胴体ガーメント部分１４０の巻き付け可能な長さは、左胸ガーメント部分１４６から右胸ガーメント部分１４２まで延在する湾曲部の長さである）。例えば圧力付与領域１４１のうちの１つまたは複数は、左胸ガーメント部分１４６、背面胴体ガーメント部分１５０及び右胸ガーメント部分１４２の中に延在してよい。例えば上部胴体圧力付与領域２６１（例えば縁部２６２の隣）における圧力の付与、その後に続く下部圧力付与領域による圧力の付与が、所望されるリンパ液の移動を生じさせることができる。しかしながらそのような圧力付与領域１４１は、胴体ガーメント部分１４０の中に、所望されるリンパ液の移動を生み出すように制御可能な任意の数の異なる別個の小室を含んでよい。
【００９２】
１つまたは複数の実施形態において（例えば図１Ａ〜図１Ｂに示されるように）、右胸ガーメント部分１４２、右の腋窩ガーメント部分１４４、左胸ガーメント部分１４６及び左の腋窩ガーメント部分１４８は、身体の一部を覆って（例えば身体の胴体の背面部分を覆って）重なり合うように構成されてよい。１つまたは複数の実施形態において、右胸ガーメント部分１４２、右の腋窩ガーメント部分１４４、左胸ガーメント部分１４６及び左の腋窩ガーメント部分１４８は、圧力付与領域１４３、１４５、１４７、１４９が、そのような圧力付与領域が所望されるリンパ液の移動のために圧力を加えるべき身体の一部のすぐそばに位置決めされるように重なり合う場合がある。例えば右胸ガーメント部分１４２及び左胸ガーメント部分１４６が身体に最初に位置決めされてよく、その後に右の腋窩ガーメント部分１４４及び左の腋窩ガーメント部分１４８が続いてよい。さらに右の腋窩ガーメント部分１４４は、左の腋窩ガーメント部分１４８（例えば部分１４８を終端させる）によって画定される左の腋窩ガーメント部分の端部１６８に結合される（例えば面ファスナーを利用して）ように構成され得る右の腋窩ガーメント部分の端部１６４（例えば部分１４４を終端させる）を画定することができる。
【００９３】
さらに１つまたは複数の実施形態において、右胸ガーメント部分１４２及び左胸ガーメント部分１４６は、１つまたは複数の胴体ストラップ１８５（例えば胴体ガーメント部分１４０が着用される際、例えば面ファスナーを用いるなどして、ユーザの胸を横切るように胴体ガーメント部分１４０の２つの異なる領域１４２、１４６に接続可能な別個のストラップ）を利用して互いに結合されてよい。１つまたは複数の胴体ストラップ１８５は、胴体ガーメント部分１４０を身体の胴体に着用するために右胸ガーメント部分１４２及び左胸ガーメント部分１４６に沿って位置決めされてよい。１つまたは複数の実施形態において、取り付け具１８０（例えば図１Ａ〜図１Ｂに示されるように）が、１つまたは複数の胴体ストラップ１８５を含む場合もある。
【００９４】
胴体ガーメント部分１４０を身体に固定するために、任意の数の接続要素が胴体ガーメント部分１４０の領域を接続するのに使用される場合があることが認識されるであろう。さらに、胴体ガーメント部分１４０の形状及びサイズは、様々な形態を採る場合があり、図３〜図７のウィング形状の構成に限定されるものではないことも認識されるであろう。例えば胴体ガーメント部分１４０は、図９〜図１０を参照して記載されるようにユーザの腕を収容するための開口を備えたよりベストに似た構造の形態を採る場合もある。さらに例えば、胴体ガーメント部分１４０はまた、胴体ガーメントの肩の領域からユーザの腕の少なくとも一部に沿って延在する腕ガーメント部分（図示せず）を含む場合もある。
【００９５】
図３〜図７に示されるように、頭部ガーメント部分１２０、首ガーメント部分１１０及び胴体ガーメント部分１４０の各々は、人の身体の軸を概ね基準として対称的になるように構成される。換言すると、種々のガーメント部分は、特定の軸を中心として対称的な下位部分を含む。例えば図３に示される頭部ガーメント部分１２０は、軸２０１を中心として対称的である（例えば右頬ガーメント部分１２２及び左頬ガーメント部分１２４などの下位部分は、軸２０１を中心として対称的であってよい）。１つまたは複数の実施形態において、圧力付与領域を含む頭部ガーメント部分１２０、首ガーメント部分１１０及び胴体ガーメント部分１４０のうちの１つまたは複数の下位部分は、軸２０１を中心として対称的であってよく、頭部ガーメント部分１２０、首ガーメント部分１１０及び胴体ガーメント部分１４０の他の部分は、非対称的である場合もある。さらに１つまたは複数の実施形態において、非対称的なガーメントが本開示の範囲内で企図される（例えば種々のガーメント部分は、例えばガーメントをユーザに着用させる作業、または固定する作業に関連するなどの１つまたは複数の様々な機能を達成するために非対称的である場合もある）。
【００９６】
１つまたは複数の実施形態において、頭部ガーメント部分１２０、首ガーメント部分１１０及び胴体ガーメント部分１４０の１つまたは複数の圧力付与領域は、互いと連動して使用されてよい。例えば１つまたは複数の首圧力付与領域１１１は、１つまたは複数の頭部圧力付与領域１２１が頭部の一部に圧力を加えるように制御された後、首の一部に圧力を加えるように制御可能であってよい。別の例では、リンパ液を頭部から首に向かって及びそこから下方に移動させるために、１つまたは複数の首圧力付与領域１１１は、首の一部に圧力を加えるように制御可能であり、１つまたは複数の頭部圧力付与領域１２１は、頭部の一部に圧力を加えるように制御可能であってよい。さらに別の例では、１つまたは複数の顎下圧力付与領域１２６、１つまたは複数の頬圧力付与領域１２３、１つまたは複数の後頭部圧力付与領域１２９及び１つまたは複数の首圧力付与領域１１１は、顎の下の一部から頬の一部に向けて、頬の一部から後頭部の一部に向けて、及び後頭部から首の一部に向けてリンパ液を移動させるように構成される、またはそのように制御可能であってよい。
【００９７】
１つまたは複数の実施形態において、コントローラ（例えば図１Ａ〜図１Ｂに示されるコントローラ１０２）は、リンパ液を少なくとも頭部から首に、首から胴体に向けて移動させるために、１つまたは複数の頭部圧力付与領域１２１、１つまたは複数の首圧力付与領域１１１及び１つまたは複数の胴体圧力付与領域１４１の各々によって加えられる圧力を制御するように構成されてよい。１つまたは複数の実施形態において、頭部圧力付与領域１２１及び胴体圧力付与領域１４１の各々は、リンパ液を少なくとも頭部の右側及び左側から後頭部に向かって、及び後頭部から胴体に向かって下方に移動させるように圧力を加えるように制御可能であってよい。
【００９８】
１つまたは複数の実施形態において、頭部ガーメント部分１２０は、図６に示されるように首ガーメント部分１１０に結合されてよい。任意の好適なやり方を利用して頭部ガーメント部分１２０と、首ガーメント部分１１０を結合することができる。例えば、そのようなガーメント部分は、縫合、溶接または任意の他の結合技術を用いて結合されて、一体式のガーメントを形成することができる。例えば頭部ガーメント部分１２０は、それぞれの縫い目ライン２５０、２５１において首ガーメント部分１１０に装着されてよい。１つまたは複数の実施形態において、頭部ガーメント部分１２０は、縫い目ライン２５０、２５１全体に沿って首ガーメント部分１１０に装着される場合もある。さらに１つまたは複数の実施形態において、例えば頭部ガーメント部分１２０及び首ガーメント部分１１０は、首ガーメント部分１１０に対して移動するように頭部ガーメント部分１２０に対して増大した可撓性を与えるために、それぞれ縫い目ライン２５０、２５１に沿って選択された場所で互いに結合される場合もある。具体的には頭部ガーメント部分１２０及び首ガーメント部分１１０は、後頭部に近接して頭部ガーメント部分１２０と首ガーメント部分１１０の間に１つまたは複数の開口が存在するように結合されてよい。１つまたは複数の実施形態において、頭部ガーメント部分１２０は、例えば頭部ガーメント部分１２０と、首ガーメント部分１１０の一方またはその両方から外向きに延出するフラップを用いて首ガーメント部分１１０に取り外し可能に結合される場合もある。換言すると、頭部ガーメント部分１２０及び首ガーメント部分１１０は、例えばその一方または両方から外向きに延出するフラップにおいて任意の好適な留め具を用いて結合させたり、切り離したりすることができる。
【００９９】
１つまたは複数の実施形態において、頭部ガーメント部分１２０及び胴体ガーメント部分１４０は、図７に示されるように首ガーメント部分１１０に結合されてよい。例えば頭部ガーメント部分１２０は、図６を参照して記載されるように首ガーメント部分１１０に結合されてよい。さらに例えば、任意の好適なやり方を利用して胴体ガーメント部分１４０と、首ガーメント部分１１０を結合することができる。例えばそのようなガーメント部分は、縫合、溶接または任意の他の結合技術を用いて結合されて、一体式のガーメントを形成することができる。例えば胴体ガーメント部分１４０は、それぞれの縫い目ライン２５３、２５２において首ガーメント部分１１０に装着されてよい。点線１０８は、胴体ガーメント部分１４０と、首ガーメント部分１１０が図示される縫い目ラインに沿って合わせて結合され得る地点を示している。
【０１００】
１つまたは複数の実施形態において、胴体ガーメント部分１４０は、縫い目ライン２５３、２５２全体に沿って首ガーメント部分１１０に装着されてよい。さらに１つまたは複数の実施形態において、例えば胴体ガーメント部分１４０及び首ガーメント部分１１０は、首ガーメント部分１１０に対して移動するように胴体ガーメント部分１４０に対して増大した可撓性を与えるために、それぞれ縫い目ライン２５３、２５２に沿って選択された場所で互いに結合される場合もある。
【０１０１】
さらに１つまたは複数の実施形態において、頭部ガーメント部分１２０、首ガーメント部分１１０及び胴体ガーメント部分１４０は、様々な異なる方法で互いに結合されてよい。例えば胴体ガーメント部分１４０は、胴体ガーメント部分１４０が首ガーメント部分１１０に対して移動するために増大した可撓性を有するように首ガーメント部分１１０に結合されてよい。例えば首ガーメント部分１１０と、胴体ガーメント部分１４０は、首の後部に近接して首ガーメント部分１１０と胴体ガーメント部分１４０の間に１つまたは複数の開口が存在するように互いに対して結合されてよい。１つまたは複数の実施形態において、胴体ガーメント部分１４０は、頭部ガーメント部分１２０に結合されてよい（例えば直接結合される）。例えば１つまたは複数の実施形態において、頭部ガーメント部分１２０及び首ガーメント部分１１０は、胴体ガーメント部分１４０に結合され得る単一の頭部／首ガーメント部分として設けられる場合もある。換言すると、頭部ガーメント部分１２０と、首ガーメント部分１１０の結合は、そのようなガーメント部分が単一の一体式のガーメント部分として形成されることを含むことができる。１つまたは複数の実施形態において、胴体ガーメント部分１４０は、例えば胴体ガーメント部分１４０、頭部ガーメント部分１２０及び首ガーメント部分１１０のうちの１つまたはその各々から外向きに延出するフラップを用いて、首ガーメント部分１１０及び／または頭部ガーメント部分１２０に対して取り外し可能に結合されてよい。例えば胴体ガーメント部分１４０は、フラップがポップアップ式の襟の外観を有するように、首に近接して胴体ガーメント部分１４０から延出するフラップを有する場合がある。したがって胴体ガーメント部分１４０は、例えばその一方または両方から外向きに延出するフラップなどにおいて任意の好適な留め具を用いて頭部ガーメント部分１２０及び／または首ガーメント部分１１０に結合させたり、切り離したりすることができる。
【０１０２】
本明細書に記載されるガーメントのいずれかを提供するのに使用され得る、１つまたは複数の小室８０３を含む一例のガーメントの一部８００の断面が図８Ａに示される。ガーメント部分８００は、外側面８０１と、対向する内側面８０２とを画定してよい。内側面８０２は、ガーメント部分８００が身体に位置決めされる際、外側面８０１より人の身体に近づけて位置決めされるように構成されてよい。１つまたは複数の小室８０３は、１つまたは複数の小室８０３の１つの小室を１つまたは複数の小室８０３の別の小室から隔離する何らかの方法で分離されてよい。例えば１つまたは複数の小室８０３は、溶接部８０５によって分離されてよい。
【０１０３】
ガーメント部分８００は、１つまたは複数の層８０４を含んでよく、１つまたは複数の層８０４の少なくとも１つは、圧迫層８０６を含んでいる。圧迫層８０６は、流体を収容するように構成され得る１つまたは複数の小室８０３の各々の中に空洞を画定することができる。１つまたは複数の小室８０３の各々の圧迫層８０６は、ガーメント部分８００がユーザによって装着される際、身体の一部に圧力を加えるために供給源から（例えば図１Ａ〜図１Ｂに示されるポンプ１０３から）流体を受け取ることができる。例えば流体は、単一のポートなどを利用して、順番にまたは連続するやり方で、例えばガーメント部分８００への入口からガーメント部分８００の出口へと１つまたは複数の小室８０３の各々に誘導されてよい。
【０１０４】
１つまたは複数の小室８０３の各々は、ガーメント部分８００によって身体の一部に加えられるべき特定の圧力まで流体によって満たされてよい（例えば個別にまたは集団で）。本明細書に記載される種々の圧力付与領域の各々は、例えば１つまたは複数の小室８０３のうちの１つ、または１つまたは複数の小室８０３のうちの複数を含む場合がある。１つまたは複数の実施形態において、本明細書に記載される種々の圧力付与領域は、例えば同一の１つまたは複数の小室を含む場合があるが、ガーメント上の異なる場所に位置決めされる可能性がある。
【０１０５】
本明細書に記載されるガーメントのいずれかを提供するのに使用され得る、１つまたは複数の圧迫領域８５３を含む一例のガーメントの別の部分８５０の断面が図８Ｂに示される。ガーメント部分８５０は、外側面８５１と、対向する内側面８５２とを画定してよい。内側面８５２は、ガーメント部分８５０が身体に位置決めされる際、外側面８５１より人の身体に近づけて位置決めされるように構成されてよい。１つまたは複数の領域８５３は、互いから分離される場合、または互いから分離される必要がない場合がある。一実施形態では、例えば１つまたは複数の領域８５３は、溶接部８５５によって分離されてよい。
【０１０６】
ガーメント８５０は、１つまたは複数の層８５４を含んでよく、１つまたは複数の層８５４の少なくとも１つは圧迫層８５７を含んでいる。圧迫層８５７は、圧力を加えるように構成された様々な好適な構成要素を含んでよい。例えば圧力は、例えば空気または空気圧システム、油圧システム、電気機械システム、作動要素（例えば電気信号を利用して、ガーメント内の電気により作動可能な線維などのガーメント内の特定の要素を作動させることで、そのような線維を含む区画が身体の一部に圧力を加える）、ケーブル／レーステンションシステム、またはガーメント部分８５０を通して身体の一部に圧力を加えるように構成される任意の他のシステムによって圧迫層を介して加えられる場合がある。
【０１０７】
少なくとも１つの実施形態では、圧迫層８５７は、身体の一部に圧力を加えるように構成された複数の作動要素であってよい（例えばニチノールなどの作動可能物質、または任意の他の圧迫デバイス）。１つまたは複数の領域８５３の各々の圧迫層８５７は、ガーメント部分８５０がユーザによって装着される際、身体の一部に圧力を加えることができる。例えば圧力は、１つまたは複数の領域８５３にわたって順番にまたは連続するやり方で、１つまたは複数の領域８５３の各々によって加えられてよい。本明細書に記載される種々の圧力付与領域の各々は、例えば１つまたは複数の領域８５３のうちの１つ、または複数の１つまたは複数の領域８５３を含んでよい。１つまたは複数の実施形態において、本明細書に記載される種々の圧力付与領域は、例えば同一の１つまたは複数の領域を含む場合があるが、ガーメント部分８５０上の異なる場所に位置決めされる可能性がある。
【０１０８】
図８Ａ〜図８Ｂに記載される（及びそれ故に図１〜図７及び図９〜図１０に示される）ガーメント部分８００、８５０はまた、ガーメント部分８００、８５０によって身体の一部に加えられる圧力を測定するように構成された１つまたは複数の圧力センサ８１８、８６８に対応付けられてよい。圧力センサ８１８、８６８は、ガーメント部分８００、８５０に沿って多様な位置に配置されてよい。例えば圧力センサ８１８、８６８は、ガーメント部分８００、８５０の長さに沿って（例えば均等な距離だけ離して、または必要に応じて）位置決めされてよい。圧力センサ８１８、８６８は、１つまたは複数の圧力付与領域またはガーメント部分８００、８５０の複数の層８０４、８５４に隣接して配置される場合もある。
【０１０９】
例えば材料の１つの層は、圧力センサ８１８、８６８を取り囲み、１つまたは複数の圧力付与領域に対応する、及び／または１つまたは複数の小室８０３、８５３に対応する圧力感知領域を含むことができる。１つまたは複数の実施形態において、圧力センサ８１８、８６８は、身体の一部に近接し得るガーメント部分８００、８５０の側面（例えば内側面８０２、８５２など）に位置決めされてよい。圧力センサ８１８、８６８は、例えば各々の圧力付与領域、１つまたは複数の小室８０３、８５３の各々、複数のチャンバのためのマニフォルドなどにおいて圧力を感知するために位置決めされてよい。
【０１１０】
圧力センサ装置は、各々の圧力付与領域、各々の空気室またはチャンバ、複数のチャンバのためのマニフォルドなどにおいて複数の異なる方法で圧力を感知するように実装されてよい。圧力センサ装置は、各々の圧力付与領域のための１つのセンサ、全ての圧力付与領域のための単一のセンサなど様々な異なる方法で圧力を測定するように構成されてよい。加えて、コントローラは、測定された圧力に基づいて身体の一部に加えられる圧力を制御するように構成されてよい。例えば圧力感知装置は、「Ｅｌａｓｔｏｍｅｒｉｃ  Ｐａｒｔｉｃｌｅ  Ｈａｖｉｎｇ  Ａｎ  Ｅｌｅｃｔｒｉｃａｌｌｙ  Ｃｏｎｄｕｃｔｉｎｇ  Ｓｕｒｆａｃｅ，  Ａ  Ｐｒｅｓｓｕｒｅ  Ｓｅｎｓｏｒ  Ｃｏｍｐｒｉｓｉｎｇ  Ｓａｉｄ  Ｐａｒｔｉｃｌｅｓ，  Ａ  Ｍｅｔｈｏｄ  Ｆｏｒ  Ｐｒｏｄｕｃｉｎｇ  Ｓａｉｄ  Ｓｅｎｓｏｒ  Ａｎｄ  Ａ  Ｓｅｎｓｏｒ  Ｓｙｓｔｅｍ  Ｃｏｍｐｒｉｓｉｎｇ  Ｓａｉｄ  Ｓｅｎｓｏｒｓ」というタイトルの米国特許第９，０２７，４０８号に記載されるガーメント内の圧力センサの形態を採る場合がある、またはポンプまたは制御装置（例えば１０２）に、「Ｐｒｅｓｓｕｒｉｚｅｄ  Ｍｅｄｉｃａｌ  Ｄｅｖｉｃｅ」というタイトルの米国特許第７，９４７，００３号に記載されるような圧力感知機能（例えばポンプ装置の一部として小室内の空気圧を測定する）が備わっている場合があり、これらの特許は全て本明細書に組み込まれている。
【０１１１】
別の一例の圧迫ガーメントシステム９００が図９〜図１０に例示されている。圧迫ガーメントシステム９００は、図１〜図８を参照して本明細書に示される及び／または記載される特徴のいずれかを含んでよく、さらに図１〜図８を参照して記載されるいずれのガーメントも図９〜図１０を参照して示される及び／または記載される特徴のいずれかを使用してよい。圧迫ガーメントシステム９００は、身体（例えば図２Ａ〜図２Ｃに示される人の身体１０）の一部を囲むように位置決めされるように構成されるガーメント９０１を含む。ガーメント９０１は、多様な様々な方法で身体に対して位置決めされてよい。例えば図９〜図１０に示されるようにガーメント９０１は、身体の頭部、首及び胴体を囲むように位置決めされる。
【０１１２】
図９〜図１０に示されるように、ガーメントは、頭部に近接して位置決めされる頭部ガーメント部分９２０と、首に近接して位置決めされる首ガーメント部分９１０と、胴体に近接して位置決めされる胴体ガーメント部分９４０とを含む。頭部ガーメント部分９２０は、首ガーメント部分９１０に結合されてよく、首ガーメント部分９１０は、胴体ガーメント部分９４０に結合されてよい。１つまたは複数の実施形態において、頭部ガーメント部分９２０は、胴体ガーメント部分９４０に結合される場合もある。図９〜図１０に示されるようにガーメント９０１はまた、ガーメント９０１が身体に位置決めされる際、首の前面部分に近接して、及び気管に隣接して首ガーメント部分９１０と胴体ガーメント部分９４０の間に開放領域９１５を含んでよい。開放領域９１５は、ガーメント９０１を着用している患者の気道へのアクセスを可能にすることができる。
【０１１３】
ガーメント９０１は、ガーメント９０１の各々の部分における領域に配置された圧力付与領域を含んでよい。圧力付与領域の各々は、身体の一部に圧力を加えるように制御可能である、またはそのように構成されてよい。例えば頭部ガーメント部分９２０は、頭部の１つまたは複数の対応する部分に圧力を加えるように制御可能である、またはそのように構成される１つまたは複数の頭部圧力付与領域９２１を含んでよく、首ガーメント部分９１０は、首の１つまたは複数の対応する部分に圧力を加えるように制御可能である、またはそのように構成される１つまたは複数の首圧力付与領域９１１を含んでよく、胴体ガーメント部分９４０は、胴体の１つまたは複数の対応する部分に圧力を加えるように制御可能である、またはそのように構成される１つまたは複数の胴体圧力付与領域９４１を含んでよい。
【０１１４】
頭部ガーメント部分９２０は、身体の頭部に着用されるように構成されてよい。１つまたは複数の実施形態において、頭部ガーメント部分９２０は、後頭部から前頭部まで頭の両側を囲むように位置決めされるように構成されるように記載されてよい。頭部ガーメント部分９２０は、後頭部ガーメント部分９２８と、右側の頭部ガーメント部分９３４と、左側の頭部ガーメント部分９３６とを含んでよい。後頭部ガーメント部分９２８は、後頭部に近接して位置決め可能であってよく、右側の頭部ガーメント部分９３４は、後頭部ガーメント部分９２８から延び、後頭部から前頭部へと頭の右側に位置決め可能であってよく、左側の頭部ガーメント部分９３６は、後頭部ガーメント部分９２８から延び、後頭部から前頭部へと頭の左側に位置決め可能であってよい。頭部ガーメント部分９２０はまた、右頬に近接して位置決め可能な右頬ガーメント部分９２２と、左頬に近接して位置決め可能な左頬ガーメント部分９２４とを含んでよい。
【０１１５】
頭部ガーメント部分９２０は、１つまたは複数の頭部圧力付与領域９２１を含んでよい。例えば、頭部ガーメント部分９２０の右側の頭部ガーメント部分９３４、左側の頭部ガーメント部分９３６及び後頭部ガーメント部分９２８の各々は、１つまたは複数の頭部圧力付与領域９２１のうちの１つまたは複数の部分を含んでよい。加えて、右頬ガーメント部分９２２及び左頬ガーメント部分９２４は、頬の一部に圧力を加えるように構成される、またはそのように制御可能な１つまたは複数の頬圧力付与領域９２３を含んでよい。頭部圧力付与領域９２１及び例えば１つまたは複数の頬圧力付与領域９２３は、リンパ液を頭部から外に移動させ首及び胴体に向かって移動させるように協働することができる。
【０１１６】
頭部ガーメント部分９２０はまた、額ガーメント部分９３２と、顎下ガーメント部分９２５とを含んでよい。額ガーメント部分９３２及び顎下ガーメント部分９２５は、頭部ガーメント部分９２０の第１の部分を頭部ガーメント部分９２０の第２の部分に結合することで、頭部ガーメント部分９２０を頭部に着用し位置決めするのを助けるように構成されてよい。例えば顎下ガーメント部分９２５は、右頬ガーメント部分９２２を左頬ガーメント部分９２４に結合するように構成された１つまたは複数の顎下接続要素９２７を含んでよい。額ガーメント部分９３２及び顎下ガーメント部分９２５は、１つまたは複数の頭部圧力付与領域９２１が頭部に圧力を加える際、頭部ガーメント部分９２０の一部（例えば右頬ガーメント部分９２２及び左頬ガーメント部分９２４）を頭部に近づけて保持するのに使用されてよい。例えば１つまたは複数の頭部圧力付与領域９２１は、その方向が最も抵抗の少ない経路であることから、圧力を加える際、頭部ガーメント部分９２０を身体から離れるように移動させる場合がある。
【０１１７】
額ガーメント部分９３２及び顎下ガーメント部分９２５は、頭部ガーメント部分９２０が、望ましくない方向に移動するのを阻止し、頭部ガーメント部分９２０が頭部に着用される際、１つまたは複数の頭部圧力付与領域９２１が頭部に圧力を加えることを保証するように構成されてよい。１つまたは複数の実施形態において、頭部ガーメント部分９２０は、頭部の鼻梁に近接して位置決め可能であり、頭部ガーメント部分９２０の第１の部分（例えば右頬ガーメント部分９２２）を頭部ガーメント部分９２０の第２の部分（例えば左頬ガーメント部分９２４）に接続するように構成された１つまたは複数の鼻接続要素（図示せず）を含んでよい。
【０１１８】
１つまたは複数の実施形態において、額ガーメント部分９３２及び顎下ガーメント部分９２５は、頭部の一部に（例えば額及び顎の下にそれぞれ）圧力を加えるように構成されてよい。額ガーメント部分９３２は、ストラップ９３３（例えば上部の頭部ガーメント部分９２０を横切ってストラップで固定している）を引っ張って額ガーメント部分９３２を額に当ててしっかり締め付けることによって圧力を加えることができる。額ガーメント部分９３２は、額の一部（例えばこめかみ）に圧力を加えるように制御可能である、またはそのように構成される額圧力付与領域（図示せず）を含んでよい。同様に顎下ガーメント部分９２５も、ストラップ（例えば下部の頭部ガーメント部分９２０を横切ってストラップで固定している）を引っ張って顎下ガーメント部分９２５を顎に当てて、かつその下でしっかり締め付けることによって圧力を加えることができる。顎下ガーメント部分９２５は、顎の下の一部に圧力を加えるように制御可能である、またはそのように構成される顎下圧力付与領域（図示せず）を含んでよい。
【０１１９】
図９〜図１０に示されるように、首ガーメント部分９１０は、身体の首に着用されるように構成されてよい。１つまたは複数の実施形態において、首ガーメント部分９１０は、首の後部から首の前面または首の側面へと首の両側を囲むように位置決めされるように構成されるように記載されてよい。首ガーメント部分は、第１の首ガーメント部分９１２（例えば右側の首ガーメント部分）と、第２の首ガーメント部分９１４（例えば左側の首ガーメント部分）とを含んでよい。第１の首ガーメント部分９１２は、首の右の部分または右側に近接して位置決め可能であってよく、第２の首ガーメント部分９１４は、首の左の部分または左側に近接して位置決め可能であってよい。
【０１２０】
第１の首ガーメント部分９１２及び第２の首ガーメント部分９１４の各々は、首の一部に圧力を加えるように制御可能である、またはそのように構成される１つまたは複数の首圧力付与領域９１１を含んでよい。例えば、第１の首ガーメント部分９１２及び第２の首ガーメント部分９１４の１つまたは複数の首圧力付与領域９１１は、第１の首ガーメント部分９１２及び第２の首ガーメント部分９１４の各々の間で交互にまたは同時に圧力を加えるように制御可能である、またはそのように構成されてよい。
【０１２１】
図９〜図１０に示されるように、胴体ガーメント部分９４０は、身体の胴体に着用されるように構成されてよい。１つまたは複数の実施形態において、胴体ガーメント部分９４０は、胴体の背面から胴体の前面へと胴体の両側を囲むように位置決めされるように構成されるように記載されてよい。胴体ガーメント部分９４０はまた、ベストに似た構造（例えばユーザの腕を収容するためにその両側に開口を含むベスト）を有するように記載される場合もある。胴体ガーメント部分９４０は、胴体の背面に近接して位置決め可能な背面胴体ガーメント部分９５０と、胴体の右側に近接して位置決め可能な右側の胴体ガーメント部分９５１と、胴体の左側に近接して位置決め可能な左側の胴体ガーメント９５２とを含んでよい。１つまたは複数の実施形態において、右側の胴体ガーメント部分９５１及び左側の胴体ガーメント部分９５２は、ガーメント９０１が身体に位置決めされる際、胴体の背面に近接して重なり合う場合がある。
【０１２２】
胴体ガーメント部分９４０は、胴体の一部に圧力を加えるように制御可能である、またはそのように構成される１つまたは複数の胴体圧力付与領域９４１を含んでよい。例えば背面胴体ガーメント部分９５０、右側の胴体ガーメント部分９５１及び左側の胴体ガーメント部分９５２の各々は、胴体の背面、胴体の右側及び胴体の左側の一部にそれぞれ圧力を加えるように制御可能である、またはそのように構成される１つまたは複数の胴体圧力付与領域９４１を含んでよい。１つまたは複数の頭部圧力付与領域９２１、１つまたは複数の首圧力付与領域９１１及び１つまたは複数の胴体圧力付与領域９４１は総合して、リンパ液が少なくとも頭部から胴体に向かって（例えば頭部から胴体に、頭部から首に、首から胴体になど）移動されるように身体の一部に圧力を加えるように制御可能であってよい。
【０１２３】
右側の胴体ガーメント部分９５１と、左側の胴体ガーメント部分９５２は、胴体ガーメント部分９４０を身体の胴体に着用するために互いに結合されてよい。右側の胴体ガーメント部分９５１は、多様な様々な方法で左側の胴体ガーメント部分９５２に結合されてよい。例えば、ガーメント９０１はまた、右側の胴体ガーメント部分９５１を左側の胴体ガーメント部分９５２に結合する（例えば胴体の前面に近接して）ように構成された取り付け具９８０（例えば取り付け構造）を含む場合もある。取り付け具９８０は、右側の胴体ガーメント部分９５１に結合可能な右ストラップ９８１と、左側の胴体ガーメント部分９５２に結合可能な左ストラップ９８２と、右ストラップ９８１と左ストラップ９８２を結合するように構成された留め具９８３とを含んでよい。
【０１２４】
右ストラップ９８１と、左ストラップ９８２は、例えば面ファスナーなどを利用して右側の胴体ガーメント部分９５１と、左側の胴体ガーメント部分９５２に対してそれぞれ結合可能であってよい。換言すると、右ストラップ９８１及び左ストラップ９８２は、右側の胴体ガーメント部分９５１及び左側の胴体ガーメント部分９５２に対して調節することができ、その後留め具９８３を利用して合わせて結合されてよい。これにより胴体ガーメント部分９４０を最初に患者に適合する際、右ストラップ９８１及び左ストラップ９８２を胴体ガーメント部分９４０上に配置することが可能になるが、その後胴体ガーメント部分９４０は、留め具９８３を利用してより簡単に着脱することができる。図９に示されるように圧迫ガーメントシステム９００は、２つの取り付け具９８０、９８５を含んでおり、一方は首により近づけて胴体ガーメント部分９４０上にあり（例えば取り付け具９８０）、他方はウエストにより近づけて胴体ガーメント部分９４０上にある（例えば取り付け具９８５）。圧迫ガーメントシステムは、ガーメント９０１を着用するのに適した任意の数の取り付け具９８０を含んでよい。
【０１２５】
１つまたは複数の実施形態において、システム９００は、システム及び１つまたは複数のその要素（例えば１つまたは複数の圧力付与領域によって圧迫治療を提供するなど）を制御するように構成された制御装置またはコントローラ９０２（例えば１つまたは複数の方法またはプロセスを実行する１つまたは複数のプログラムまたはルーチンを利用し、１つまたは複数のタイプのメモリが組み込まれた１つまたは複数のプロセッサ）を含んでよく、ガーメント９０１が１つまたは複数の流体で満たされた小室を含む場合、圧迫治療を適用するために、圧力付与領域の各々の１つまたは複数の小室（例えば図８Ａに示される小室８０３）に、例えば小室内の液体またはガスなどの流体を提供する／そこから流体を取り除くためにコントローラ９０２によって制御され得るポンプ９０３及び配管９０５を含んでよい。
【０１２６】
そのような制御装置及びポンプ装置は、図１Ａ〜図１Ｂを参照して記載したものと同様のやり方で作動することができる。さらに１つまたは複数の実施形態において、図９〜図１０に示されるように、コントローラ９０２は、点線９０４によって全体的に表されるように１つまたは複数の電線を介して及び／または無線により圧迫ガーメントシステムの１つまたは複数の構成要素に接続されてよい。例えばコントローラ９０２は、物理的な電気接続を利用して、及び／または無線によって圧力付与領域と通信し、これを制御するように接続されてよい。
【０１２７】
図１〜図１０を通して記載される圧迫ガーメント部分は、静的ガーメント部分と、動的ガーメントとを含むように記載される場合がある。換言すると、静的ガーメント部分は、圧迫治療時間の間、身体の一部に一定の圧力（例えば静圧）を加えることができる圧迫ガーメントの部分を含み、動的ガーメント部分は、圧迫治療時間の間、身体の一部に（例えばコントローラの制御の下で）変動する圧力を加えることができる圧迫ガーメントの部分を含む。
【０１２８】
１つまたは複数の実施形態において、静的ガーメント部分の一部が、圧迫治療時間の間、身体の一部に静圧を加えるように制御された動的ガーメント部分の少なくとも一部分を含む場合もある。例えば動的ガーメント部分が、身体の一部に一定の圧力を加えることによって身体の一部に静圧を加える場合もある（例えば、変動式のいかなる動圧付与要素もなしで圧力を加えるために動的ガーメント部分を身体のその部分にぴったりと当てて縛り付け、動的ガーメント部分を身体のその部分に当てて位置決めし、加えられる圧力を変えずにコントローラを利用して静圧を加える（小室に流体を提供する））。例えば顎下圧力付与要素１２６は、圧迫治療時間の間、顎の下に静圧を提供するために流体を収容するように制御されてよく、他の頭部圧力付与要素は、所望されるリンパ液の移動を実現するために、圧迫治療時間の間、頭部に動的な圧力のシーケンスを付与するように制御されてよい。
【０１２９】
例えば、身体の一部（例えば頭部、首、胴体など）に着用されるように構成された一例のガーメントは、静的ガーメント部分（例えば顎下ガーメント部分９２５）と、動的ガーメント部分（例えば右頬ガーメント部分９２２及び左頬ガーメント部分９２４）とを含んでよい。静的ガーメント部分は、頭部の一部に静圧を加えるように構成可能であってよく、動的ガーメント部分は、頭部及び／または首の一部に圧力を加えるように制御可能な１つまたは複数の圧力付与領域を含んでよい。
【０１３０】
コントローラ（例えばコントローラ１０２）は、１つまたは複数の圧力付与領域によって加えられる圧力を制御するように構成されてよく、圧力は、治療時間の間、経時的に変化する場合がある（例えば１つまたは複数の圧力付与領域を利用して動圧が加えられる）。１つまたは複数の圧力付与領域は、リンパ液を少なくとも頭部から首に向かって、及びそこから下方に移動させるために、頭部及び首の１つまたは複数の部分に圧力を加えるように制御可能であってよい。
【０１３１】
静的ガーメント部分は、任意の好適なやり方で身体の１つまたは複数の部分に静圧を加えるように構成されてよい。例えば、静的ガーメント部分は、身体に関連するガーメントの一部をきつく締めることによって、ガーメントを着用している間圧力を加えることができる。具体的には、例えば静的ガーメント部分は、頭部の顎の下の一部に圧力を加える（例えば図１Ａ〜図１Ｂ、図３、及び図９〜図１０に図示されるような顎下ガーメント部分１２５、９２５を通して）ように構成可能であってよい。顎の下の静的治療は、圧迫治療におけるリンパ液の蓄積を回避するのに役立つ場合がある。
【０１３２】
静的ガーメント部分はまた、頭部の顎の下に近接して位置決め可能な静的圧迫面を含む１つまたは複数の顎下接続要素（例えば図１Ａ〜図１Ｂに関連して記載されるような）を含んでよい。１つまたは複数の顎下接続要素は、右頬ガーメント部分と、左頬ガーメント部分を接続するように構成されてよい。静的ガーメント部分はまた、（図１Ａ〜図１Ｂ、図３、及び図９〜図１０に図示されるような額ガーメント部分１３２、９３２を通して）頭部の額及びこめかみに静圧を加えるように構成可能であってよい。さらに例えば図１Ａ〜図１Ｂ、図３、及び図９〜図１０に図示される顎下ガーメント部分１２５、９２５は、圧迫治療時間の間、顎の下に静圧を提供するために流体を収容するように構成された顎下圧力付与要素（例えば流体で満たされ、静圧に保持される１つまたは複数の顎下の小室）を含んでよく、他の頭部圧力付与領域は、圧迫治療時間の間、頭部に動圧のシーケンスを加えるように制御可能であってよい。しかしながら１つまたは複数の実施形態において、図１Ａ〜図１Ｂ、図３、及び図９〜図１０に図示される顎下ガーメント部分１２５、９２５における１つまたは複数の圧力付与領域が、顎の下の一部に動圧を加えるように制御可能である場合もある。
【０１３３】
動的ガーメント部分は、任意の好適なやり方で身体の１つまたは複数の部分に動圧を加えるように構成されてよい。例えば動的ガーメント部分は、制御可能な圧力付与領域を含む頭部ガーメント部分、首ガーメント部分及び／または胴体ガーメント部分のいずれかの一部を含んでよい。制御可能な圧力付与領域は、リンパ液を所望される方向に（例えば頭部から首に向かって、首から胴体に向かってなど）移動させる特定のシーケンスの圧力を身体に加えるために互いと組んで作用することができる。そのような特定のシーケンスの圧力を身体に付与することは（例えば圧力、例えば異なる圧力が、圧迫治療時間における異なる時間に頭部及び首の１つまたは複数の部分に加えられる）、身体に動圧を与える。
【０１３４】
例えば動的ガーメント部分は、頭部の右頬に近接して位置決め可能な右頬ガーメント部分（例えば右頬ガーメント部分１２２、９２２）と、頭部の左頬に近接して位置決め可能な左頬ガーメント部分（例えば左頬ガーメント部分１２４、９２４）とを含んでよい。そのような右頬ガーメント部分及び左頬ガーメント部分における１つまたは複数の圧力付与領域は、左頬と右頬の各々の一部に動圧を加える（例えばリンパ液を所望される方向に移動させる特定のシーケンスの圧力を身体に加える）ように制御可能であってよい。別の例では、動的ガーメント部分は、後頭部に近接して位置決め可能な後頭部ガーメント部分（例えば後頭部ガーメント部分１２８、９２８）を含む場合もある。後頭部ガーメント部分における１つまたは複数の圧力付与領域は、後頭部の一部に動圧を加える（例えばリンパ液を所望される方向に移動させる特定のシーケンスの圧力を身体に加える）ように制御可能であってよい。換言すると、リンパ液を移動させるように制御可能な圧力付与領域を含むいずれのガーメント部分も、身体に動圧を与えるのに適している。
【０１３５】
静的及び動的ガーメント部分は、リンパ液を少なくとも顎の下の一部、左頬及び右頬の各々の一部、及び後頭部の一部から首の一部に向かって移動させるのを助けるために組み合わせることができる。例えば１つまたは複数の圧力付与領域は、リンパ液を少なくとも顎の下の一部、左頬及び右頬の各々の一部、及び後頭部の一部から首の一部に向かって移動させるために、治療時間の間、動的な圧力を加えるように制御可能であってよく、１つまたは複数の静的ガーメント部分（例えば図１Ａ〜図１Ｂ、図３、及び図９〜図１０に図示される顎下ガーメント部分１２５、９２５または図１Ａ〜図１Ｂ、図３、及び図９〜図１０に図示される額ガーメント部分１３２、９３２など）は、治療時間の間、静圧が加えられる領域に流体が移動するのを阻止するのに使用される。
【０１３６】
別の一例の圧迫ガーメントシステムは、身体の頭部及び首に着用されるように構成されたガーメントを含んでよい。ガーメントは、身体の１つまたは複数の部分に静圧を加えるように構成可能であってよく（例えば頭部ガーメント部分を利用して顎の下及び額）、また身体の一部（例えば頭部ガーメント部分、首ガーメント部分または胴体ガーメント部分を利用して頭部、頬、後頭部、首、胴体に）に動圧（例えば一定の時間にわたって変動する圧力）を加えるように制御可能な複数の圧力付与領域を含んでよい。
【０１３７】
コントローラは、複数の圧力付与領域の各々によって加えられる圧力を制御するように構成されてよい。圧力は、圧迫治療時間における異なる時間に頭部及び首の１つまたは複数の部分に加えられてよい。換言すると、ガーメントは、ガーメントが身体に着用される際、静圧を加えることができ（例えばガーメントを身体に対してきつく締め付けることによって静圧が加えられる）、その後ガーメントが着用された後、コントローラが、ガーメントに動圧を加えることができる（例えば圧力付与領域を利用して、ガーメントが身体に着用された後、特定の領域において圧力を変える）。複数の圧力付与領域は、リンパ液を少なくとも頭部から首に向かって、及びそこから下方に移動させるために頭部及び首の１つまたは複数の部分に圧力を加えるように制御可能であってよい。
【０１３８】
圧迫ガーメントシステムは、多様な様々な方法でガーメントを通して身体に圧力を加えることができる。例えば複数の圧力付与領域は、ガーメントが頭部及び首の１つまたは複数の部分に静圧を加えるように構成された後（例えばストラップ、留め具などを利用してガーメントを身体に対してきつく締め付けることによって）、頭部及び首の１つまたは複数の部分に（例えば頭部ガーメント部分及び首ガーメント部分を利用して頬、首及び後頭部に）動圧を加える（例えば治療時間にわたって加えられる圧力の大きさを変える）ように制御可能であってよい。ガーメントはまた、身体の胴体に着用されるように構成される場合もあり、複数の圧力付与領域は、身体の胴体に動圧を加えるように制御可能であってよい。１つまたは複数の実施形態において、ガーメントは、ガーメントが胴体に着用される際、胴体に静圧を加える場合もある。
【０１３９】
圧迫治療の一例の方法１１００が、図１１に例示されている。方法１１００は、身体の少なくとも一部にガーメントを着用すること１１１０を含んでよい（例えばガーメントは、頭部ガーメント部分と、首ガーメント部分とを含んでよい）。頭部ガーメントは、（例えば身体の頭部の一部に圧力を加えるように制御可能な）１つまたは複数の頭部圧力付与領域を含んでよく、首ガーメント部分は、（例えば例えば身体の首の一部に圧力を加えるように制御可能な）１つまたは複数の首圧力付与領域を含んでよい。方法１１００はまた、リンパ液を少なくとも首に向かって移動させるために、１つまたは複数の頭部圧力付与領域の各々によって身体の頭部に加えられる圧力を制御すること１１２０を含んでよい。方法１１００はさらに、リンパ液を少なくとも首から下方に移動させるために、１つまたは複数の首圧力付与領域の各々によって身体の首に加えられる圧力を制御すること１１３０を含んでよい。
【０１４０】
１つまたは複数の実施形態において、方法１１００はまた、１つまたは複数の頭部圧力付与領域の各々によって身体の頭部に圧力を加えることと、その後１つまたは複数の首圧力付与領域の各々によって身体の首に圧力を加えることとを含んでよい。方法１１００はさらに、身体の頭部及び身体の首へのそのような圧力の付与を繰り返すことを含んでよい（例えばコントローラが、加えられる圧力のシーケンスを制御する）。１つまたは複数の実施形態において、方法１１００は、（例えば、首ガーメント部分の、及び首の右の部分に近接して位置決め可能な）第１の首ガーメント部分の１つまたは複数の首圧力付与領域の各々によって加えられる圧力と、（例えば、首ガーメント部分の、及び首の左の部分に近接して位置決め可能な）第２の首ガーメント部分の１つまたは複数の首圧力付与領域の各々によって加えられる圧力を交互に制御することを含んでよい。第１の首ガーメント部分は、第２の首ガーメント部分のものとは別個の圧力付与領域を含む。
【０１４１】
１つまたは複数の実施形態において、ガーメントはまた、胴体の一部に圧力を加えるように制御可能な１つまたは複数の胴体圧力付与領域を含む胴体ガーメント部分（例えば身体の胴体に近接して位置決め可能な）を含んでよい。方法１１００はさらに、１つまたは複数の胴体圧力付与領域の各々によって身体の胴体に加えられる圧力を制御することと、身体の頭部、身体の首及び身体の胴体への圧力の付与を繰り返すこと（例えばコントローラが、種々のガーメント部分の種々の圧力付与領域によって身体の各々の領域に加えられる圧力のシーケンスを制御する）とを含んでよい。
【０１４２】
圧迫治療の別の一例の方法１２００が図１２に例示されている。方法１２００は、身体の頭部及び首の少なくとも一部にガーメントを着用すること１２１０を含んでよい（例えばガーメントは複数の圧力付与領域を含む）。方法１２００はまた、ガーメントの顎下ガーメント部分を利用して少なくとも頭部の顎の下に静圧を加えること１２２０を含んでよい。方法１２００はさらに、複数の圧力付与領域を利用して身体の頭部及び首の少なくとも一部に動圧を加えること１２３０を含んでよい。動圧の付与は、圧迫治療時間における異なる時間に頭部及び首の１つまたは複数の部分に圧力を加えることを含んでよい。
【０１４３】
１つまたは複数の実施形態において、方法１２００は、リンパ液を少なくとも頭部及び首から下方に移動させるために、複数の圧力付与領域によって身体の頭部及び首の１つまたは複数の部分に加えられる動圧を制御することを含んでよい。１つまたは複数の実施形態において、複数の圧力付与領域を利用して身体の頭部及び首に動圧を加えること１２３０は、複数の圧力付与領域の少なくとも１つによって身体の頭部に圧力を加えることと、その後複数の圧力付与領域の少なくとも１つによって身体の首に圧力を加えることとを含んでよい。動圧を加えること１２３０はまた、身体の頭部及び身体の首への圧力の付与を繰り返すことを含んでよい。
【０１４４】
１つまたは複数の実施形態において、方法１２００はまた、身体の胴体の少なくとも一部にガーメントを着用すること（例えば身体の胴体の少なくとも一部に着用されるように構成されたガーメントが、身体の頭部及び首の少なくとも一部に着用されるように構成されたガーメント部分に結合されてよい）と、複数の圧力付与領域を利用して身体の胴体に動圧を加えることとを含んでよい。１つまたは複数の実施形態において、方法１２００はさらに、ガーメントの額ガーメント部分を利用して頭部の額及びこめかみに静圧を加えることを含んでよい。１つまたは複数の実施形態において、方法１２００はまた、複数の圧力付与領域の少なくとも１つを利用して頭部の顎の下に圧力を加えることを含んでよい。
【０１４５】
圧迫治療のさらに別の一例の方法１３００が図１３Ａに例示されている。方法１３００は、身体の胴体に胴体ガーメントを着用すること１３１０（例えば胴体ガーメントは、身体の胴体の１つまたは複数の部分に圧力を加えるように制御可能な複数の胴体圧力付与領域を含んでよい）と、身体に頭部ガーメントを着用すること１３２０（例えば頭部ガーメントは、首ガーメントによって胴体ガーメントに結合されてよく、身体の頭部の１つまたは複数の部分に圧力を加えるように制御可能な複数の頭部圧力付与領域を含んでよい）とを含んでよい。
【０１４６】
図１３Ｂに示されるように、胴体ガーメントを着用すること１３１０は、身体の胴体の背面に近接するように胴体ガーメントの背面胴体ガーメント部分を位置決めすること１３１２を含んでよい。胴体ガーメントを着用すること１３１０はまた、背面胴体ガーメント部分から胴体の前面へと延びるように胴体ガーメントの右側の胴体ガーメント部分を位置決めすること１３１４と、右側の胴体ガーメント部分の反対側で背面胴体ガーメント部分から胴体の前面へと延びるように胴体ガーメントの左側の胴体ガーメント部分を位置決めすること１３１６とを含んでよい。胴体ガーメントを着用すること１３１０はさらに、左側のガーメント部分と、右側のガーメント部分を結合すること１３１８を含んでよい。
【０１４７】
さらに図１３Ｃに示されるように、頭部ガーメントを着用すること１３２０は、身体の後頭部に近接するように頭部ガーメントの後頭部ガーメント部分を位置決めすること１３２２を含んでよい。頭部ガーメントを着用すること１３２０はまた、後頭部ガーメント部分から頭の右側を囲むように後頭部から前頭部へと延びるように頭部ガーメントの右側の頭部ガーメント部分を位置決めすること１３２４と、右側の頭部ガーメント部分の反対側で後頭部ガーメント部分から頭の左側を囲むように後頭部から前頭部へと延びるように頭部ガーメントの左側の頭部ガーメント部分を位置決めすること１３２６とを含んでよい。頭部ガーメントを着用すること１３２０はさらに、右側の頭部ガーメント部分と、左側の頭部ガーメント部分を結合すること１３２８を含んでよい。
【０１４８】
１つまたは複数の実施形態において、右側の胴体ガーメント部分と、左側の胴体ガーメント部分を結合すること１３１８は、取り付け具を利用して左側の胴体ガーメント部分と右側の胴体ガーメント部分を結合することを含んでよい。１つまたは複数の実施形態において、頭部ガーメントは、顎の下の一部に圧力を加えるように構成可能な顎下ガーメント部分を含んでよい（例えば顎下ガーメント部分は、頭部の顎の下に近接して位置決め可能であってよい）。顎下ガーメント部分は、右側の頭部ガーメント部分と、左側の頭部ガーメント部分を結合する際に使用するように構成された１つまたは複数の顎下接続要素を含んでよい。頭部ガーメントはまた、右側の頭部ガーメント部分と、左側の頭部ガーメント部分を結合する際に使用するように構成された額ガーメント部分を含んでよい（例えば額ガーメント部分は、頭部の額に近接して位置決め可能であってよい）。頭部ガーメントはさらに、右側の頭部ガーメントと、左側の頭部ガーメントを結合する際に使用するように構成された１つまたは複数の鼻接続要素（例えば頭部の鼻梁に近接して位置決め可能な１つまたは複数の鼻接続要素）を含んでよい。
【０１４９】
１つまたは複数の実施形態において、複数の頭部圧力付与領域及び胴体圧力付与領域の各々は、リンパ液を少なくとも頭部の左側及び右側から、後頭部に向かって、かつ後頭部から胴体に向かって下方に移動させるために、身体の一部に圧力を加えるように制御可能であってよい。１つまたは複数の実施形態において、首ガーメントは、リンパ液を頭部から身体の胴体に向かって下方に移動させるために、首の一部に圧力を加えるように制御可能な少なくとも１つの圧力付与領域を含む。１つまたは複数の実施形態において、方法１３００は、複数の頭部圧力付与領域のうちの少なくとも１つによって身体の頭部に圧力を加えることと、複数の胴体圧力付与領域のうちの少なくとも１つによって身体の胴体に圧力を加えることとを含んでよい。１つまたは複数の実施形態において、方法１３００はさらに、身体の頭部及び身体の胴体への圧力の付与を繰り返すことを含んでよい。
【０１５０】
１つまたは複数のガーメントを着用するのを助けるために、１つまたは複数の締め付け具（例えばレーシングシステム）が種々のガーメントの１つまたは複数の場所で使用される場合がある（例えば両側に沿って胴体ガーメント上で、コネクタまたは留め具のうちの一方として、またはそのうちの一方を利用して頭部ガーメント上で）。図１４に示されるように、胴体ガーメント部分４４０は、身体の胴体に胴体ガーメント部分４４０を位置決めする（例えば締め付ける）のを助けるために締め付け具４２０を含んでよい。締付け具４２０は、締付け具４２０が、胴体ガーメント部分４４０の第１の部分４４２を胴体ガーメント部分４４０の第２の部分４４４に対して移動させるのに役立つような、例えば胴体ガーメント部分４４０を身体の胴体に近接させて締め付けるのを助けるような胴体ガーメント部分４４０上のいかなる場所にも配置されてもよい。
【０１５１】
締め付け具４２０は、胴体ガーメント部分４４０の第１の部分４４２と第２の部分４４４の間に位置決めされる（例えば通される）少なくとも１本のレース４３０を含んでよい。少なくとも１本のレース４３０は、ガイド部材（例えば示されていないが、例えば交差するレースの両端でレースがその中を通って進む）を利用して胴体ガーメント部分４４０の第１の部分４４２と第２の部分４４４の間に誘導されてよい。締め付け具４２０はまた、少なくとも１本のレース４３０に結合され、少なくとも１本のレース４３０に対して張力を加えるように構成されることで、胴体ガーメント部分４４０を身体の胴体の周りに締め付ける締め付けデバイス４２５を含んでよい。
【０１５２】
図１４に示されるように、締付け具４２０は、身体の腕の下に配置される。１つまたは複数の実施形態において、締付け具４２０は、身体の片方の腕の下または両腕の下に（例えば身体の両側に沿って）配置されてよい。また締付け具４２０は、身体に近接するようにガーメントを締め付けたり調節したりする際に補助的な助けを必要とし得るガーメントに沿った任意の他の場所に配置される場合もある。本明細書に記載される締付け具４２０は、「Ｃｏｍｐｒｅｓｓｉｏｎ  Ｇａｒｍｅｎｔ  Ｓｙｓｔｅｍ  ｗｉｔｈ  Ｔｉｇｈｔｅｎｉｎｇ  Ａｐｐａｒａｔｕｓ」というタイトルのＰＣＴ国際出願番号ＰＣＴ／ＵＳ２０１５／０３６９５１号に見いだされる１つまたは複数の特徴と似ており、それらを含む場合があり、この出願は参照により本明細書に組み込まれている。
【０１５３】
そうでないことが指摘されなければ、明細書及びクレーム中で使用される特徴のサイズ、量及び物理的な特性を表す全ての数字は、全ての場合において用語「約」によって修飾されるように理解されるべきである。したがって反対のことが指摘されなければ、上述の明細書及び添付のクレーム中に記載される数値的なパラメータは、本明細書に開示される教示を利用する当業者が取得しようとする所望される特性に応じて変動する可能性のある近似値である。終点を含む数値的な範囲の使用は、その範囲内の全ての数字（例えば１〜５は、１、１．５、２、２．７５、３、３．８０、４及び５を含む）と、その範囲内の任意の範囲を含む。
【０１５４】
開示される例において列挙される特定の材料及びその寸法、ならびにその他の条件及び詳細は、本開示を不当に制限するように解釈すべきではない。本主題は、構造的特徴及び／または方法論的な行為に固有の言語で記載されているが、添付の特許請求の範囲において定義される主題は、上記に記載される特定の特徴または行為に必ずしも限定されないことを理解されたい。むしろ上記に記載される特定の特徴及び行為は、特許請求の範囲を履行する代表的な形態として開示されている。
【図１Ａ】
2018534098.tif 000003
【図１Ｂ】
2018534098.tif 000004
【図２Ａ】
2018534098.tif 000005
【図２Ｂ】
2018534098.tif 000006
【図２Ｃ】
2018534098.tif 000007
【図３】
2018534098.tif 000008
【図４】
2018534098.tif 000009
【図５】
2018534098.tif 000010
【図６】
2018534098.tif 000011
【図７】
2018534098.tif 000012
【図８Ａ】
2018534098.tif 000013
【図８Ｂ】
2018534098.tif 000014
【図９】
2018534098.tif 000015
【図１０】
2018534098.tif 000016
【図１１】
2018534098.tif 000017
【図１２】
2018534098.tif 000018
【図１３Ａ】
2018534098.tif 000019
【図１３Ｂ】
2018534098.tif 000020
【図１３Ｃ】
2018534098.tif 000021
【図１４】
2018534098.tif 000022
【国際調査報告】
2018534098.tif 000023
2018534098.tif 000024
2018534098.tif 000025
2018534098.tif 000026
2018534098.tif 000027